(57)【要約】  媒体をポンプで吸い上げるためのポンプシステムが記載されている。システムは、少なくとも一つの横方向圧力交換チャンバを含むが、好ましくは複数の圧力交換チャンバを含む。各圧力交換チャンバは、各端部に弁配置を有する。システムはまた、システムの送達端に加圧排出部と、圧力交換チャンバを媒体で充填するよう動作可能な充填機構とを含む。容積式ポンプは、媒体が圧力交換チャンバから加圧排出部にポンプで吸い上げられるように、媒体と直接接触する駆動流体をポンプ注入するように動作可能である。媒体をポンプ注入する方法も記載される。【選択図】図１
2021531426.tif 000002
【特許請求の範囲】
【請求項１】
媒体をポンプで吸い上げるためのポンプシステムであって、
各端部に弁配置を有する横長パイプを含む少なくとも一つの圧力交換チャンバと、
前記システムの送達端における加圧排出部と、
前記圧力交換チャンバを前記媒体で充填するよう動作可能な充填機構と、および
前記媒体が駆動流体によって前記圧力交換チャンバから前記加圧排出部に変位するように、前記媒体と直接接触する前記駆動流体をポンプ注入するように動作可能な容積式ポンプと、を備える、ポンプシステム。
【請求項２】
前記圧力交換チャンバは、前記容積式ポンプに接続され、駆動流体入口弁、および駆動流体出口弁を備える、前記圧力交換チャンバの端部に位置する第一の弁配置をさらに備える、請求項１に記載のポンプシステム。
【請求項３】
前記第一の弁配置は、圧縮弁および減圧弁をさらに備える、請求項２に記載のポンプシステム。
【請求項４】
前記システムが、前記加圧排出部に接続され、ポンプ注入流体出口弁およびポンプ注入流体入口弁を備える、前記圧力交換チャンバの端部に位置する第二の弁配置をさらに備える、請求項２または３に記載のポンプシステム。
【請求項５】
前記ポンプシステムが、並列に接続され、ポンプ注入される媒体で連続的に充填され、駆動流体で連続的に空にされる複数の圧力交換チャンバを備える、請求項４に記載のポンプシステム。
【請求項６】
前記ポンプシステムが、任意の圧縮弁および減圧弁と、前記駆動流体入口弁および出口弁と、ならびに必要に応じて前記ポンプ注入流体入口弁および出口弁とを適切な時間に作動させて、排出される前記チャンバが、別の圧力交換チャンバが媒体で充填されている間にポンプ注入媒体で空にされるときに、少なくとも一つの圧力交換チャンバが媒体で満たされることを確実にするように動作可能な圧力交換チャンバコントローラをさらに備える、請求項５に記載のポンプシステム。
【請求項７】
前記容積式ポンプが、前記駆動流体を前記媒体が流れるのと同じ方向にポンプ注入する、請求項１〜６のいずれかに記載のポンプシステム。
【請求項８】
前記充填機構が遠心ポンプを含む、請求項１〜７のいずれかに記載のポンプシステム。
【請求項９】
前記加圧排出部が、前記加圧排出部から地表レベルまで延在するライザへの供給部を備える、請求項１〜８のいずれかに記載のポンプシステム。
【請求項１０】
前記容積式ポンプが、前記圧力交換チャンバとほぼ同じ高度に位置する、請求項１〜９のいずれかに記載のポンプシステム。
【請求項１１】
前記容積式ポンプが、前記圧力交換チャンバよりも著しく高い高度に位置する、請求項１〜９のいずれかに記載のポンプシステム。
【請求項１２】
前記システムが、前記圧力交換チャンバよりも著しく高い高度に位置する駆動流体源をさらに備える、請求項１〜１１のいずれかに記載のポンプシステム。
【請求項１３】
前記システムが、前記圧力交換チャンバとほぼ同じ高度に位置する駆動流体源をさらに備える、請求項１〜１１のいずれかに記載のポンプシステム。
【請求項１４】
前記加圧排出部は、加圧コンテナへの供給部、または高圧を必要とする細長い輸送ラインへの供給部のいずれかを備える、請求項１〜１３のいずれかに記載のポンプシステム。
【請求項１５】
前記第一の弁配置および前記第二の弁配置は、前記弁が作動していない時に前記弁を閉位置に維持することを支援するために、各弁の両端の圧力差が前記弁の高圧側に作用するように配向され構成される、作動式、ポペット式、逆止弁を含む、請求項４〜１４のいずれかに記載のポンプシステム。
【請求項１６】
前記第一の弁配置が、前記駆動流体の流れ方向がこれらの弁を閉じることを支援するように配向され構成される、作動式、ポペット式、逆止弁を含む、請求項２〜１５のいずれかに記載のポンプシステム。
【請求項１７】
前記第二の弁配置が、前記ポンプ注入媒体の流れ方向がこれらの弁を開くことを支援するように配向され構成される、作動式、ポペット式、逆止弁を含む、請求項４〜１５のいずれかに記載のポンプシステム。
【請求項１８】
前記弁が、作動時であっても小さな圧力差の存在下でのみ開くように、アクチュエータ力が選択される、請求項１５〜１７のいずれかに記載のポンプシステム。
【請求項１９】
媒体をポンプ注入する方法であって、
（ｉ）横方向圧力交換チャンバを減圧するステップと、
（ｉｉ）前記圧力交換チャンバを、比較的低い圧力源を使用してポンプ注入される媒体で充填するステップと、
（ｉｉｉ）容積式ポンプを使用して前記圧力交換チャンバを加圧するステップと、
（ｉｖ）前記媒体と直接接触する駆動流体を使用して前記媒体を排出するステップであって、前記駆動流体が前記容積式ポンプを使用して送達される、排出するステップと、を含む、方法。
【請求項２０】
ステップ（ｉｉ）が、前記媒体が圧力交換チャンバの実質的な部分を通過し、駆動流体出口弁を介して排出されるように、前記圧力交換チャンバを充填することをさらに含む、請求項１９に記載の媒体をポンプ注入する方法。
【請求項２１】
ステップ（ｉｖ）が、駆動流体が前記圧力交換チャンバの実質的な部分を通過し、ポンプ注入流体出口弁を介して排出されるように、前記媒体と直接接触する前記駆動流体を使用して前記媒体を排出することをさらに含む、請求項１９または２０に記載の媒体をポンプ注入する方法。
【請求項２２】
前記方法が、第一の圧力交換チャンバ上でステップ（ｉ）〜（ｉｉｉ）を行うことと、次に、前記第一の圧力交換チャンバ上でステップ（ｉｖ）を実施する前またはその間に、第二の圧力交換チャンバ上でステップ（ｉ）〜（ｉｉｉ）を実施することと、を含む、請求項１９〜２１のいずれかに記載の媒体をポンプ注入する方法。
【請求項２３】
媒体を上昇レベルにポンプで吸い上げるためのポンプシステムであって、
少なくとも一つの非垂直パイプであって、各パイプが各端部に弁配置を有する、少なくとも一つの非垂直パイプと、
前記非垂直パイプを充填するよう動作可能な充填システムと、
前記非垂直パイプから前記上昇レベルまで延在し、前記上昇レベルに前記媒体を送達するためのライザと、
前記媒体が前記ライザを通して前記パイプから前記上昇レベルまでポンプで吸い上げられるように、前記上昇レベルに上昇している前記媒体と直接接触する駆動流体をポンプ注入するよう動作可能な容積式ポンプと、を備える、システム。
【請求項２４】
媒体を上昇レベルにポンプで吸い上げるためのポンプシステムであって、
（ｉ）各端部に弁配置を有する横長パイプを含む少なくとも一つの圧力交換チャンバと、
（ｉｉ）前記システムの送達端における加圧排出部と、
（ｉｉｉ）前記圧力交換チャンバを前記媒体で充填するよう動作可能な充填機構と、
（ｉｖ）第一の高度に位置する第一の容積式ポンプと、
（ｖ）第二の、より低い、高度に位置する第二の容積式ポンプであって、前記容積式ポンプは、前記媒体が駆動流体によって前記圧力交換チャンバから前記加圧排出部に変位するように、前記媒体と直接接触する前記駆動流体をポンプで吸い上げる際に協働する、第二の容積式ポンプと、を備える、システム。
【発明の詳細な説明】
【技術分野】
【０００１】
本発明は、ポンプシステムに関する。詳細には、本発明は、排他的ではないが、鉱物加工産業で使用するためのポンプシステムに関する。
【背景技術】
【０００２】
鉱物加工産業では、一つの問題は、鉱石を地下または海底の位置から地表レベルに輸送することに関連する。このようなほとんどの用途では、この輸送は、鉱石を垂直に持ち上げるだけでなく、水平に輸送することを含む。
【０００３】
比較的小さな垂直距離については、ベルトまたはトラック輸送の配置が主要な輸送方法である。地下鉱山では、最も主要な輸送方法は、鉱石を地下から積んだ後にスキップを地表に持ち上げるスキップホイストである。比較的新しい用途である海底採掘では、スキップホイスト、エアリフト、または油圧ホイストなどの複数の方法が考慮されている。油圧ホイストでは、鉱石は、担体流体、例えば水と混合されて、鉱粒子の懸濁液を形成し、その後、地表にポンプで吸い上げることができる。固体粒子と担体流体との混合物は、スラリーと称される。
【０００４】
海底採掘では、油圧ホイストは、鉱石が、典型的には、いわゆるＲｕｎ−Ｏｆｆ−Ｍｉｎｅ（ＲＯＭ）鉱石として水中の鉱石の懸濁液を送達する、水系採掘方法を用いて採掘されるため、最も適切であると考えられる。油圧ホイストを地下および海底鉱山に適用するには、いくつかの利点がある。これらの利点には、以下が含まれる。
【０００５】
地下鉱山からの油圧ホイスト用のライザパイプの建設は、ライザの穴をドリル加工することができ、スキップホイストに必要なシャフトよりもはるかに小さい断面を有するため、スキップホイストシステムの構築よりもはるかに費用効果が高い。
【０００６】
ライザパイプの建設および油圧ホイストに必要な地表インフラは、スキップホイストに必要なものよりもはるかに侵襲性が低い。
【０００７】
油圧ホイスト用のライザパイプは、完全に垂直である必要はないため、地下出発点に対する浮上点の位置の自由度がより高い。
【０００８】
これらの最後の二つの利点は、人口密度の高い地域の鉱山、または困難な地表の地形条件に特に有利である。
【０００９】
油圧ホイストは、スキップホイストのバッチプロセスと比較して連続的なプロセスであり、これによりオペレータの依存度と干渉がより少ないより自動化したプロセスが可能となる。
【００１０】
スキップホイストでは、スキップの移動時間が、単位時間当たりに一つが引き上げることができるバッチ数を決定するため、特定の断面シャフトの容量は、深さと逆比例する。油圧ホイストでは、容量は、流速およびパイプ直径によって定義され、容量は、深さによって影響を受けない。
【００１１】
採掘プロセス中、鉱石はより小さな粒子に分解され、その結果、鉱石は顆粒状材料として扱われ得る。しかし、ホイスト段階前のサイズ減少は、海底または地下鉱山にありうる、採掘場所の近くの高価で高エネルギー消費の粉砕（粒子サイズ減少）装置の設置要求を減少させるために制限されることが好ましい。
【００１２】
追加のサイズ減少をあまり有さないＲＯＭ鉱石の粒子サイズは、１〜１００ｍｍの範囲である。水と混合した場合、これは、混合物が停滞している時に粒子がすぐに沈殿する、いわゆる沈殿スラリーを与える。スラリーは、二相混合物（固体粒子が懸濁されるか、またはそうでなければその中に位置する液体）である。これは、鉱物加工用途で一般的に見られる混合物とは異なる。微細粒子（直径５０μｍ未満）との混合物では、粒子は、沈殿がスラリーの輸送にいかなる問題も呈さないように、ゆっくりと沈殿するのみである。
【００１３】
油圧鉱石ホイストでは、１〜１００ｍｍの範囲の比較的大きな粒子は、ライザパイプを介して地表に輸送される間に、担体流体中に懸濁されなければならない。ホイストの深さは、典型的には、地下採掘については１００〜２０００ｍの範囲であり、海底採掘については５０００ｍの範囲である。このような環境における油圧鉱石ホイストシステムの主な課題は、典型的なホイストの深さに必要な高いポンプ圧力と組み合わせて輸送される比較的大きな粒子サイズである。
【００１４】
比較的大きな粒子サイズは、油圧鉱石ホイストシステムで使用することができるポンプ装置に制約を与える。典型的な粒子サイズを処理できる大型通路スラリー遠心ポンプが利用可能であるが、それらの揚程は限定的であり、典型的には５０ｍ未満である。これは、油圧鉱石ホスティングシステムの圧力要求を克服するために、非常に多くのこのようなポンプを直列に配置することを必要とする。遠心ポンプの数が直列に増加すると、システムの複雑さが増し、システムの信頼性が低下する。さらに、大型通路スラリー遠心ポンプのエネルギー効率は、多段階クリーン液体遠心ポンプまたは容積式ポンプと比較して限定されており、典型的には、７０％対それぞれ８０％および９０％である。したがって、油圧鉱石ホイストシステムにおける複数の大型通路スラリー遠心ポンプの使用は、これらの欠点のために制限される。
【００１５】
先行技術の高効率多段クリーン液体遠心ポンプは、内部通路領域が典型的には小さすぎるため、また内部速度が高すぎるため、明らかに適切ではなく、固体の混じった流体またはスラリーを取り扱う際に過度の摩耗率をもたらす。研磨スラリーを取扱うことができる先行技術の容積式ポンプは存在するが、１ｍｍより大きい粒子を取扱う場合には限界がある。これらの制限は、主に、より大きな粒子の存在下で適切に閉じて封止しないポンプ室隔離弁の動作に関連する。さらに、先行技術の容積式ポンプの流量速度は、典型的には、より大きな粒子を確実に懸濁するには低すぎるため、大量のこれらのより大きな粒子を取扱う際に閉塞をもたらす。
【００１６】
これらの問題のいくつかを克服するために、いくつかの圧力交換の概念が過去に提案されている。圧力交換システムでは、圧力交換チャンバはまず、低圧充填システムによって弁配置を介してポンプ注入される流体（ポンプ注入流体と呼ばれる）で充填される。ポンプ注入流体が充填されると、別の弁配置によって、すでに圧力交換チャンバ（駆動流体と称される）内の流体がチャンバの外に変位する。チャンバがポンプ注入流体で充填されると、ポンプ注入流体入口および駆動流体出口弁が閉じられる。高圧駆動流体入口弁および高圧ポンプ注入流体出口弁が順次開放され、高圧駆動流体が圧力交換チャンバに進入し、それによって、ポンプ注入流体出口弁を介してチャンバからポンプ注入流体を高圧排出接続に変位させる。
【００１７】
しかしながら、全ての先行技術の圧力交換システムは、高圧駆動流体をシステムに供給するために、クリーン液体ポンプに依存する。先行技術のほとんどの圧力交換システムは、この目的のために、高効率の多段階クリーン液体遠心ポンプを使用する。チャンバをポンプ注入流体で充填する際に圧力交換チャンバから出て来る流体は、典型的には、駆動流体の任意の消耗を最小化するために駆動流体として再使用される。したがって、ほとんどの先行技術の圧力交換システムは、ポンプ注入流体と駆動流体を分離する圧力交換チャンバ内の分離要素を使用する。この分離要素の機能は、駆動流体とポンプ注入流体との混合を防止しながら、それらの間で圧力を交換することである。先行技術による圧力交換システムは、垂直に配置された圧力交換チャンバ内のフロート、水平に配置された圧力交換チャンバ内の浮動ピストン、ならびに、例えば、円筒形ダイヤフラムまたは膜、および気胞形状またはホース形形状などの、様々な形状および形態の気密封止された可撓性分離要素を含む、様々な形態および形状の分離要素を使用する。
【００１８】
しかしながら、浮動分離要素は、ポンプ注入流体と駆動流体との間に気密封止を提供せず、両方の流体の混合をもたらす。研磨スラリーを取り扱う圧力交換システムでは、これは、チャンバをポンプ注入流体で充填する間に圧力交換チャンバから排出される駆動流体の汚染をもたらす。この汚染は、高圧駆動流体ポンプの過剰な摩耗率を防ぐために、再使用する前に駆動流体から除去される必要がある。駆動流体の完全な除染は実用的ではなく、また不可能であり、これはその後、駆動流体の汚染による高圧駆動流体ポンプの信頼性の低下をもたらす。
【００１９】
一部の先行技術の圧力交換システムは、垂直に配置された圧力交換チャンバを使用して、粒子が分離要素から離れて沈殿することを可能にすることによって、浮遊分離要素にわたる混合を制限しようと試みる。これは１００〜５００μｍの範囲の中間粒子サイズに対して機能し得るが、より小さな粒子は、分離要素から離れて十分に迅速に沈殿せず、さらに圧力交換チャンバ内の乱流によって懸濁液中に保持される。約５００μｍを超える粒子は分離要素から離れて沈殿するが、急速に沈殿し、圧力交換チャンバの底部に堆積物を形成する。より大きな粒子の量が多すぎるかまたは総体積が大きすぎる場合、圧力交換チャンバの底部で閉塞を形成し、高圧排出接続へのポンプ注入された流体の排出を妨害する。
【００２０】
さらに、浮動分離要素の速度は、その耐久性を確保するために制限されなければならない。これは、圧力交換チャンバの垂直または水平の配置に依存しない、油圧鉱石ホイスト用途に存在するような、大きな粒子の沈殿混合物に対するそれらの成功した用途をさらに制限する、圧力交換チャンバ内の流体速度に対する制約を加える。これは、比較的高流量が、粒子のスラリーへの沈降を防止するために必要とされるためである。
【００２１】
気密封止分離要素を使用した先行技術の圧力交換システムは、ポンプ注入流体と駆動流体との混合を防止する。しかし、気密封止分離要素は、圧力交換チャンバのサイズおよびアスペクト比に幾何学的制約を加える。サイズ制限により、比較的小さな体積がサイクル毎に変位する。輸送される粒子を懸濁するための圧力交換チャンバ内の最小流速要求と組み合わせれば、これは比較的短いサイクルタイムをもたらすことになる。短いサイクルタイムは、多数の弁作動をもたらし、より大きな粒子の存在下で動作するとき、弁の摩耗率が高くなる。短いサイクルタイムは、そうでなければ、より大きな粒子が弁内の機能的封止面から離れて沈降することを可能にするように使用され得る弁の周りのアイドルフローの期間をさらに限定する。先行技術の気密封止された圧力交換システムは、典型的には、ポンプ注入流体が底部端部の入口および出口弁に、また駆動流体が上部端部の入口および出口弁に、垂直または少なくとも傾斜した圧力交換チャンバの配置を使用して、それによって、より大きな粒子の沈殿を使用して、サイクルの排出段階中に圧力交換チャンバを空にするのを支援する。しかしながら、垂直配置は、圧力交換チャンバの底部でより大きな粒子の堆積をもたらし、堆積物量が多すぎるときにチャンバからの排出を妨害する。これは、このような圧力交換システムによって扱われ得る固体濃度を制限し、より大きな粒子の沈殿混合物を扱う際に、２〜５秒の範囲での比較的短い充填および排出段階を必要とする。
【００２２】
分離要素を使用する全ての先行技術による圧力交換システムは、分離要素がその許容移動の終わりに達した時に、圧力交換チャンバの充填または排出を停止する必要がある。これらの制限を超える動作は、分離要素に損傷を与えるか、または圧力交換チャンバの内外への流れのハードストップをもたらす。これは、特に、連続的に充填および排出される複数のチャンバを並列で使用する場合に、システム動作にさらなる制約をもたらす。第一に、移動の終了を検出する必要があり、これは典型的には、些末ではあり得ない検出装置を必要とする。充填および排出段階の時間は、固定充填排出流量を使用するときに固定され、例えば、配列中の次のチャンバがまだ準備ができていないときに一つのチャンバの排出段階の延長を許容しない。分離要素は、圧力交換チャンバ内に留まる必要があるため、ポンプ注入流体の一部は、排出段階の終了時に圧力交換チャンバ内に留まる。特に、より大きな粒子スラリーを輸送する場合、これは、圧力交換チャンバ内のより大きな粒子の段階的な蓄積を防止するための追加措置を必要とする。より大きな粒子スラリーを取り扱うために予期されるほとんどの先行技術の圧力交換システムは、圧力交換チャンバの垂直または少なくとも急傾斜した配置を使用してこれを試みようとした。
【００２３】
いくつかの提案された先行技術の開放圧力交換システムは、細長いパイプの形態の圧力交換チャンバを使用し得るが、高効率のクリーン流体多段遠心ポンプを使用するため、高圧駆動流体ポンプへのクリーン流体供給に依存する。これは、媒体および駆動流体の混合による汚染のため、充填段階中に圧力交換チャンバから排出される駆動流体の直接的な再使用を制限する。
【００２４】
輸送システムまたはホイストシステムの端部で固体を分離した後の担体流体（ポンプ注入媒体の液体部分）の再利用は、担体流体がより小さい粒子で汚染されているので制限される。両方の場合において、汚染された流体を処理するようには設計されていない駆動流体ポンプの信頼性の高い動作を可能にするために、広範な固体分離が必要である。
【００２５】
さらに、先行技術の開放圧力交換システムは、典型的には、流体の入口弁および出口弁のためにナイフゲート弁を使用する。これらの弁は、弁を横切る圧力差とは独立して、作動されると開く。これは、圧力のバランスが悪い状況で開放されたときに高流速を生じさせ、研磨スラリーを取り扱う際に高い摩耗率をもたらす可能性がある。
【００２６】
遠心駆動流体ポンプの使用により、圧力交換チャンバおよび輸送ラインまたはライザにおける油圧鉱石ホイストシステムの地表への流路保全がさらに複雑になる。遠心ポンプは、送達しなければならない圧力に依存する流量を送達し、これはさらにポンプのインペラの摩耗状態によって影響を受ける。油圧鉱石ホイストシステムでは、システム内の輸送速度が、システムの閉塞につながる可能性のあるシステム内の固体の蓄積を防止するために、臨界堆積速度を上回ることを保証することが非常に重要である。遠心駆動流体ポンプの速度制御による流量のいくらかの制御は可能であるが、遠心ポンプが高効率で確実に動作する流量範囲が比較的狭いため、これは制限される。
【００２７】
本発明の実施形態の目的の一つとして、上記の不利益または先行技術のその他の不利益を排除または軽減することが挙げられる。
【００２８】
本明細書に詳述する様々な態様は、別段の記載がない限り、互いに独立している。一つの態様に対応する任意の特許請求の範囲は、その特許請求の範囲に明示的に記載されていない限り、他の態様の任意の要素または特徴を組み込むものとして解釈されるべきではない。
【００２９】
本明細書における任意の先行の刊行物（または先行の刊行物に由来する情報）、または既知の任意の物質への言及は、先行の刊行物（または先行の刊行物に由来する情報）または既知の物質が、本明細書が関連する努力の分野における共通の一般知識の一部を形成する、あるいは本出願に対して先行技術として引用可能であるとしても、承認もしくは許可またはいかなる形態の提案としても受け取られることはなく、かつそうすべきではない。
【発明の概要】
【００３０】
本概要は、以下の発明を実施するための形態でさらに説明される、簡略化された形態での概念の選択を紹介するため提供される。本概要は、請求された主題の主要な特徴または必須の特徴を識別することを意図しておらず、請求された主題の範囲を制限するためにも使用されることも意図しない。
【００３１】
第一の態様によれば、媒体をポンプで吸い上げるためのポンプシステムが提供され、そのシステムは、（ｉ）各端部に弁配置を有する横長パイプを含む少なくとも一つの圧力交換チャンバと、（ｉｉ）システムの送達端の加圧排出部と、（ｉｉｉ）圧力交換チャンバを媒体で充填するよう動作可能な充填機構と、（ｉｖ）媒体が駆動流体によって圧力交換チャンバから加圧排出部に変位するように、媒体と直接接触する駆動流体をポンプ注入するよう動作可能な容積式ポンプと、を備える。
【００３２】
媒体は、単相または多相の混合物を含んでもよい。単相混合物の一例は水であり、二相混合物の一例は、鉱石粒子またはペースト（非常に小さな粒子の高度に濃縮された懸濁液から形成される混合物）を有する液体（スラリーとも呼ばれる）である。鉱石粒子のサイズは、１ｍｍ未満から約１００ｍｍまで変化しうる。スラリーは、混合物が沈殿スラリーと呼ばれる担体流体内に沈殿する粒子を含んでもよい。
【００３３】
圧力交換チャンバ（ポンプチャンバとも呼ぶ）は、横長パイプを含む。パイプは比較的長くてもよく、例えば、１００ｍの長さであってもよく、一部の実施形態では、パイプは少なくとも１０ｍの長さであってもよい。パイプは、横方向の配向（垂直方向よりも水平方向に近い）に延在してもよい。横方向の配向は、略平坦な（水平または略水平）配向、または比較的緩やかな傾斜の配向、直線、湾曲、またはらせん状のものであってもよい。パイプは、海底、地面、または他の地表に沿って（そこからの局所的偏差にもかかわらず）概して水平配向に延在し得る。パイプの長さは、（パイプを充填する媒体の）流速および必要な充填および排出時間によって決定または影響され得る。例えば、２５秒の充填時間に対する４ミリ秒−１の流速は、１００メートルのパイプ長さを必要とする。いくつかの実施形態では、パイプの長さは、２０ｍ〜４００ｍの範囲から選択され得る。
【００３４】
駆動流体は、水（海水、脱塩水、未処理水など）などの単相流体を含んでもよい。
【００３５】
第一の弁配置は、好ましくは、圧力交換チャンバの一端に位置し、駆動流体入口弁、駆動流体出口弁、圧縮弁、および減圧弁を含む。これらの弁は、高圧（例えば、４０バール超）での使用に適していることが好ましい。これらの弁は、作動弁を含み得る。
【００３６】
駆動流体入口弁および出口弁が一般的に圧力バランスのとれた環境で開くことを可能にするために、圧力バランスラインが提供されてもよい。この圧力バランスラインは、バイパス配置（すなわち、駆動流体入口弁および出口弁をバイパスする）における圧力交換チャンバの圧縮または減圧弁を含みうる。
【００３７】
圧縮弁は、圧力交換チャンバ内の圧力を駆動流体入口弁の開弁前に上昇させられるように駆動流体入口弁をバイパスするために提供され、それによって、弁を開くために必要な力を減少させ、開弁時に駆動流体入口弁を通る流体流量を減少させる。これは、駆動流体入口弁の寿命を延ばすという利点を有する。
【００３８】
同様に、減圧弁は、駆動流体出口弁の開放前に圧力交換チャンバ内の圧力を降下させるように駆動流体出口弁をバイパスするために提供され、それによって、その開放時に駆動流体出口弁を通る駆動流体の排出を緩和させる。
【００３９】
圧縮弁および減圧弁は、高圧差に対して開放するように設計されることが好ましい。しかしながら、これらの弁は、主に駆動流体（ポンプ注入される媒体ではない）の流れを可能にし、それゆえ、よりクリーンな流体（より粒子が少ないか、または少なくとも大きなサイズの粒子が少ない）で作動する。
【００４０】
容積式ポンプを使用することにより、ポンプシステムは、流量が重力による沈殿を防止するのに十分であることを確実にするために複雑な制御配置を必要としないという利点を有する。これは、容積式ポンプが、圧力に依存しない固定流量を作り出すためである。容積式ポンプを使用して媒体を横方向圧力交換チャンバから駆動させることにより、駆動流体の出入りを可能にする弁の開閉によって、精緻なセンサを必要とするのではなく、時間によって制御することができる。
【００４１】
容積式ポンプを使用することにより、駆動流体は、クリーン水である必要はないが、例えば、５００μｍよりも小さな粒子など、より小さい粒子を含むことができる。
【００４２】
圧力交換システムを使用することは、充填機構が、圧力交換チャンバに、加圧排出部にポンプ注入される媒体を（高圧ポンプを必要とせずに）予め充填することができるという利点を有し、その後、容積式ポンプは、高圧で、媒体を加圧排出部に変位させることができる。
【００４３】
第二の弁配置は、好ましくは、加圧排出部の近くの圧力交換チャンバの端部に位置し、ポンプ注入流体（または媒体）出口弁（排出弁とも呼ばれる）およびポンプ注入流体（または媒体）入口弁（吸引弁とも呼ばれる）を備える。ポンプ注入流体入口弁およびポンプ注入流体出口弁は、圧力交換チャンバがそれぞれ適切に減圧または圧縮された時に、圧力バランスのとれた状況で開かれる。これらの弁は、作動弁を含み得る。
【００４４】
ポンプ注入流体出口および入口弁は、高圧（例えば、約４０バール超）での使用に適していることが好ましい。
【００４５】
駆動流体入口弁は、ポンプ注入流体出口弁と同時に（またはほぼ同時に）開放されてもよく、その間、駆動流体出口弁およびポンプ注入流体入口弁は閉じたままである。
【００４６】
同様に、ポンプ注入流体入口弁は、駆動流体出口弁と同時に（またはほぼ同時に）開くことができ、その間、ポンプ注入流体出口弁および駆動流体入口弁は閉じたままである。
【００４７】
好ましい実施形態では、ポンプ注入流体入口弁および出口弁を閉じることは、駆動流体入口弁および出口弁に対して遅延し、言い換えれば、駆動流体入口弁および出口弁は、ポンプ注入流体入口弁および出口弁の前に閉じられる。これは、ポンプ注入流体入口弁および出口弁が閉じる前に、駆動流体の流れ（したがって媒体の流れも）を停止するという利点を有する。これにより、媒体中のより大きな粒子が、ポンプ注入流体入口弁および出口弁を閉じる前に、ポンプ注入流体入口弁および出口弁から離れて沈殿することが可能になり、それによって、弁内に媒体の大きな粒子を捕捉するリスクを低下させる（そうでなければ、弁を損傷し、弁を閉鎖することを妨げ、それによって動作順序の継続を妨げ得る）。
【００４８】
好ましい実施形態では、駆動流体入口弁および出口弁は、弁の幾何学的形状が弁の開閉を補助するように、作動式、非戻り式、ポペット着座弁などの作動弁を備えてもよい。ポペット弁が開く圧力差は、典型的には、逆方向への流れを遮断するときに取ることができる圧力負荷と比較して小さい。
【００４９】
ポンプ注入流体入口弁および出口弁は、自動弁を含んでもよいが、好ましい実施形態では、これらは、作動式、非戻り型、ポペット着座弁などの作動弁を含む。
【００５０】
作動弁は、典型的には、自動弁と比較して、より大きな弁開口部を可能にする。より大きな弁開口部は、自動弁と比較して、より大きな粒子の通過を可能にする。さらに、作動弁は、タイミングに関してより大きな柔軟性を可能にし、これは、例えば、駆動流体出口弁および入口弁それぞれに対して、ポンプ注入流体入口弁および出口弁の遅延閉鎖を可能にする。
【００５１】
弁の両端に小さな圧力差があるときのみ弁が開くという利点は、弁の両側の圧力がほぼ等しくなると自動的に開くことである。弁が、大きな圧力差で開放された場合、弁の両側の圧力のバランスをとろうと、弁が開き始めると、弁を高速で流体が流れることになる。弁を通過する流体がスラリーである場合、高速流れは、弁本体および弁座を迅速に侵食する固体粒子を含有する。
【００５２】
いくつかの実施形態では、ポペット弁は、作動ポペット弁である。好ましくは、アクチュエータによって加えられる力は、圧力差が小さい（例えば、５バール未満）時に弁の開放を補助するようにし、圧力差が高い（例えば、４０バール超、またはポンプ全体の全圧差がどのようなものであっても）場合でも弁を強制的に開かせるようにするようなものである。
【００５３】
ポペット弁は、閉鎖された時に弁の両端の圧力差が弁を閉鎖位置に保持することを助けるように配置されることが好ましい。ポンプ注入流体入口弁およびポンプ注入流体出口弁については、ポンプ注入流体（媒体および駆動流体）の流れ方向がそれらの弁の開放を支援する。駆動流体入口弁および出口弁については、ポンプ注入流体（媒体および駆動流体）の流れ方向が逆方向に作用し、弁の閉鎖を支援する。
【００５４】
いくつかの実施形態では、圧縮弁および減圧弁は、作動ボール弁もしくはポペット弁、または弁の両端の高圧差の存在下で作動され得る任意の他のタイプの弁を含む。圧縮および減圧弁が配置されるバイパスラインはさらに、圧縮および減圧弁と直列に取り付けられたチョークを有し、圧縮および減圧中の流量を制限および制御することができる。
【００５５】
第一および第二の弁配置は、各弁の両端の圧力差が弁の高圧側に作用して、弁が作動していない時に弁を閉位置に維持するのを助けるように配向され構成される、作動式、ポペット式、逆止弁を含み得る。これは、弁を閉位置に維持するために、追加の（外部）力を必要としないという利点を有する。
【００５６】
第一の弁配置は、駆動流体の流れ方向がこれらの弁を閉じるのを助けるように配向され構成される、作動式、ポペット式、逆止弁を含み得る。
【００５７】
第二の弁配置は、ポンプ注入媒体の流れ方向がこれらの弁を開くのを助けるように配向され構成される、作動式、ポペット式、逆止弁を含み得る。
【００５８】
アクチュエータ力は、弁が作動時であっても小さな圧力差（例えば、１０バールより小さい）の存在下でのみ開くように選択されうる。これにより、弁が、圧力差が充分に低い前に作動され得るため、弁を開く正確なタイミングの要求が回避される。これは、弁が、正しい圧力差に達した時に自動的に開くためである。これは、高圧差に起因する高流速による過剰な摩耗が回避されるという利点を有する。
【００５９】
一部の用途、例えば、深海採掘では、駆動流体出口弁は、駆動流体を周囲の水に排出し得る。他の用途、例えば、地下採掘では、駆動流体出口弁は、駆動流体を、貯蔵部または第二の容積式ポンプなどの別のポンプ流体ポンプ用の供給に排出してもよい。
【００６０】
駆動流体入口弁は、圧力交換チャンバが媒体で充填されている時に、高圧駆動流体供給ラインを圧力交換チャンバ内の低圧力に封止する必要がある。駆動流体出口弁は、媒体が圧力交換チャンバから排出されている時に、高圧圧力交換チャンバを低圧駆動流体出口ラインに封止する必要がある。ポンプ注入流体入口（吸引）弁は、媒体が圧力交換チャンバから排出されている時に、高圧圧力交換チャンバを低圧媒体供給ラインまたは吸引ラインに封止する必要がある。ポンプ注入流体出口（排出）弁は、圧力交換チャンバが媒体で充填されている時に、高圧媒体排出ラインを圧力交換チャンバ内の低圧力に封止する必要がある。
【００６１】
好ましくは、容積式ポンプは、駆動流体を、媒体が送達端に変位するときに流れる方向と同じ方向に（横方向ではなく）ポンプ注入する。有利なことに、圧力交換チャンバがパイプである場合、駆動流体および媒体の両方が、圧力交換チャンバに対して長手方向にポンプで吸い上げられる。
【００６２】
充填機構は、大型粒子を直接扱うことができ、比較的高流量を有することができる利点を有する遠心ポンプを備えてもよい。代替で、充填機構は、追加のポンプの必要性を回避する利点を有する重力供給システムを備えてもよい。他のオプションには、ねじポンプ、または他の任意の便利なポンプまたは供給機構が含まれる。
【００６３】
加圧排出部は、ライザへの供給を含んでもよく、ライザは、加圧排出部から地表レベルまで延在する。地表レベルは、加圧排出部の１００ｍ超上方であってもよい。代替で、加圧排出部は、加圧コンテナへの供給部または高圧を必要とする、いくらかより長い長さの水平輸送ラインへの供給部を含んでもよい。
【００６４】
いくつかの実施形態では、複数の圧力交換チャンバは並列に接続される。
【００６５】
一つの圧力交換チャンバのみを使用する場合、ポンプ注入される媒体のパルス化による問題がある可能性がある。さらに、一つの圧力交換チャンバでは、充填段階および排出段階は連続的ではない。
【００６６】
二つの圧力交換チャンバを並列に使用する利点は、他の圧力交換チャンバが駆動流体を使用して排出されている間に、圧力交換チャンバのうちの一つを媒体で充填することができる（または充填される過程にある）ことである。中断のない排出は可能であるが、充填段階は、他のチャンバがその排出段階を完了した後に引き継ぐように準備させるために、排出段階に対して加速されなければならない。
【００６７】
三つの圧力交換チャンバを並行して使用する利点は、少なくとも一つの圧力交換チャンバが、別の圧力交換チャンバが排出されている間に、媒体で完全に充填され、排出準備完了であり得ることである。例えば、圧力交換チャンバのうちの一つは、完全に充填することができ、排出を待っていて、別の圧力交換チャンバは、充填プロセスの対象であるが、完全には充填されておらず（すなわち、その圧力交換チャンバに対して充填プロセスは継続中である）、第三の圧力交換チャンバは、排出プロセスの対象である（すなわち、第三の圧力交換チャンバに対して排出プロセスが継続中である）。
【００６８】
これにより、個々の段階のタイミングにおける安全の余裕をもって、中断の無い充填および排出が可能となる。
【００６９】
冗長性が所望される場合、例えば、メンテナンスまたは交換のための圧力交換チャンバへのアクセスが困難であるか、または高価であり得る深海設置において、四つ以上の圧力交換チャンバが使用されてもよい。
【００７０】
複数の圧力交換チャンバが提供される場合、システムコントローラ（または拡張弁アクチュエータ）が提供されて、圧縮弁および減圧弁、ならびに入口弁および出口弁を適切な時間に作動させて、一つの圧力交換チャンバが媒体で満たされている間に、別の圧力交換チャンバが媒体で満たされることを確実にすることができる。
【００７１】
容積式ポンプは、一つまたは複数の圧力交換チャンバとほぼ同じ高度（または深さ）に位置してもよい。これは、容積式ポンプが圧力交換チャンバの近くに位置するという利点を有し、それによって、圧力交換チャンバ間の切り替え時の負荷応答時間を改善する。
【００７２】
圧力交換チャンバが（海底上と対照的に）地下に位置する場合、これは、容積式ポンプが加圧排出部（すなわち、媒体を地表に持ち上げるため）を圧倒するために全力で送達しなければならないという不利な点を有する。要求される圧力は、ライザ内の混合物の静水圧（加圧排出部から地表への）とライザ内の摩擦圧力損失との和である。さらに、容積式ポンプは、媒体を地表に上昇させるために高圧を克服する必要があるため、エネルギー消費は高い。圧力交換チャンバが海底上に位置する場合、周囲の水は駆動流体として使用されてもよく、これは、水深に基づく静水圧を有するため、容積式ポンプは、海水とライザ内の媒体の密度差、およびライザ内の摩擦損失による圧力差を克服するだけである。
【００７３】
さらに、圧力交換チャンバが位置する（例えば、鉱床または海底の上）場所に高エネルギー電源を提供することは、高価であり得る。
【００７４】
代替で、容積式ポンプは、一つまたは複数の圧力交換チャンバ（例えば、鉱山上の表面レベル、または水表面上の浮動プラットフォームもしくはボート上）よりも著しく高い高度に位置してもよい。容積式ポンプを地表に配置することによって、高エネルギー電源を地表に設置することができる。駆動流体は、圧力交換チャンバにポンプで送出されるときに静水圧の利点を有するため、容積式ポンプ筐体の圧力定格は、容積式ポンプによって生成される最大圧力がはるかに低いため、著しく低くすることができる。地下採掘の場合、駆動流体供給ラインにおいて静水圧を使用した場合、エネルギー消費量ははるかに低い。
【００７５】
容積式ポンプは、駆動流体として使用するために流体源を必要とする。駆動流体源は、外部源であってもよく、または駆動流体出口弁から排出される駆動流体から提供されてもよく、あるいはより大きな粒子がポンプ注入媒体から除去された後、担体流体を再使用することによって、ポンプシステムの排出から提供されてもよく、またはそれらの組み合わせでもよい。この流体は、回収（再使用のため）、交換、または二つの組み合わせのいずれかでなければならない。いくつかの実施形態では、使用される駆動流体は、駆動流体として再使用されなくてもよいが、ポンプ注入媒体の担体流体として再使用されてもよい。
【００７６】
駆動流体は、地表あるいは一つまたは複数の圧力交換チャンバと同じ高度から提供されてもよい。本明細書で使用される場合、正の高度は、地表レベル（海水面でありうる）より上の高さを指し、負の高度は、地表より下の深さを指し、そのため、高度は、地表より上の高さ、または地表より下の深さを指してもよく、地表は、海水面より下、海面上、または海面より上にある場合がある。
【００７７】
駆動流体が地表から提供される実施形態では、駆動流体ライザを使用して、地表と圧力交換チャンバとの間の流体連通を提供し得る。媒体が水または他の流体を含む場合、これは、（鉱石または他の大きな粒子を除去することによって）媒体ライザ（加圧排出部から地表に延在する）から回収され、駆動流体ライザ（または、容積式ポンプがまた地表に位置する場合、容積式ポンプ）内にそれを流すことによって再使用されることができる。
【００７８】
駆動流体を地表に提供することによって、ポンプシステムは、静水圧から利益を得、それによって、容積式駆動流体ポンプのエネルギー要求を減少させる。
【００７９】
地下用途では、媒体が圧力交換チャンバを充填している時に排出される駆動流体を再使用することが有益であり得る。そうでなければ、この流体は、鉱山脱水作業の一部として地表にポンプで吸い上げられる必要がある可能性がある。追加の（より小さな）ポンプが圧力交換チャンバレベルに位置する場合、排出された駆動流体を使用して、容積式ポンプからの駆動流体と並列にポンプ注入されることによって、地表から提供される駆動流体を補充することができる。排出される駆動流体のより大きな残りの部分を使用して、ポンプ注入される媒体を生成することができる（すなわち、鉱粒子が位置する担体流体として使用することができる）。この追加の（より小さな）ポンプは、地下用途で使用することができ、駆動流体またはポンプ注入される媒体を生成するために使用される流体に外部流体源を必要としないように、閉ループ構成で提供され得る。
【００８０】
駆動流体が圧力交換チャンバと同じ高度から提供される実施形態では、別個の駆動流体ライザを必要としない場合がある。しかし、媒体を生成するための流体および駆動流体を生成するための流体が利用可能である必要がある。海底用途では、両方の用途に利用可能な海水がある。地下採掘用途では、この流体は、地表から（必ずしもライザを介してではないが）供給されてもよく、または鉱山脱水システムによって他の方法で地表に持ち上げられる必要がある鉱水として利用可能であってもよい。こうした用途では、駆動流体および媒体流体の要求は、任意の別個の鉱山脱水装置の必要性を省略または低減し得る。
【００８１】
駆動流体端で圧力交換チャンバからポンプで出される任意の媒体を、将来の使用のためにリサイクルすることができる。
【００８２】
複数の容積式ポンプは、媒体と直接接触する駆動流体をポンプ注入するために並列に提供されてもよい。容積式ポンプは、すべて同じ高度で提供され得るか、または異なる高度で提供され得る。例えば、一つまたは複数の容積式ポンプは、地表に位置してもよく、一つまたは複数の容積式ポンプは、圧力交換チャンバの高度に位置してもよい。
【００８３】
ここで、容積式ポンプは、地表または負の高度に位置し得ることが理解されよう。同様に、駆動流体は、地表から、もしくは負の高度から、または二つの組み合わせから提供されてもよい。
【００８４】
容積式ポンプを使用して、媒体と直接接触する駆動流体をポンプ注入することによって、駆動流体と媒体との間の機械的分離はない（フロートまたはダイヤフラムなし）。機械的分離器が存在しないことで、必要に応じて、駆動流体を圧力交換チャンバを超えて駆動することができ、接着されなければならないストローク位置の端部が確実になくなる。
【００８５】
複数の圧力交換チャンバを有することによって、圧力交換チャンバは、低圧ポンプ（遠心ポンプなど）によって媒体で充填されてもよく、大きな粒子が圧力交換チャンバの床にとどまるように、媒体が沈殿することができ、次いで、弁は、粒子の沈殿のために大きな粒子が詰まるか、または大きな粒子によって損傷されるリスクを低減して閉めることができる。次いで、圧力交換チャンバは、その中に駆動流体をポンプ注入することによって加圧および空にすることができる。駆動流体は、出口弁を超えてポンプ注入されて、媒体からの任意の粒子による弁閉鎖の可能性を低減することができる。
【００８６】
第二の態様によれば、媒体をポンプ注入する方法が提供され、その方法は、（ｉ）圧力交換チャンバを減圧するステップと、（ｉｉ）圧力交換チャンバを、比較的低い圧力源を使用してポンプ注入される媒体で充填するステップと、（ｉｉｉ）容積式ポンプを使用して圧力交換チャンバを加圧するステップと、（ｉｖ）媒体と直接接触する駆動流体を使用して媒体を排出するステップであって、該駆動流体は、容積式ポンプを使用して送達される、媒体を排出するステップと、を含む。
【００８７】
ステップ（ｉｉ）は、媒体が圧力交換チャンバ（または圧力交換チャンバの実質的な部分）を通過し、駆動流体出口弁を介して排出されるように、圧力交換チャンバを充填することをさらに含み得る。
【００８８】
ステップ（ｉｖ）は、駆動流体が圧力交換チャンバ（または圧力交換チャンバの実質的な部分）を通過し、ポンプ注入流体出口弁を介して排出されるように、媒体と直接接触する駆動流体を使用して媒体を排出することをさらに含み得る。
【００８９】
方法は、第一の圧力交換チャンバ上でステップ（ｉ）〜（ｉｉｉ）を実施すること、およびステップ（ｉｖ）が第一の圧力交換チャンバ上で実施される前またはその間に、第二の圧力交換チャンバ上でステップ（ｉ）〜（ｉｉｉ）の少なくとも一部を実施することを含み得る。
【００９０】
第三の態様によれば、媒体を上昇レベルにポンプで吸い上げるためのポンプシステムが提供され、システムは、少なくとも一つの非垂直パイプであって、各パイプが各端部に弁配置を有する、少なくとも一つの非垂直パイプと、非垂直パイプを充填するよう動作可能な充填システムと、非垂直パイプから上昇レベルまで延在し、かつ媒体を上昇レベルまで送達するためのライザと、を備え、媒体がライザを通してパイプから上昇レベルまでポンプで吸い上げられるように、上昇レベルまで上昇している媒体と直接接触する駆動流体をポンプ注入するよう動作可能な容積式ポンプによって特徴付けられる。
【００９１】
ポンプシステムは、各非垂直パイプの弁の開閉を含む、システムの動作を制御するためのコントローラをさらに備えてもよい。
【００９２】
非垂直パイプはそれぞれ、圧力交換チャンバに含まれてもよい。
【００９３】
第四の態様によれば、媒体を上昇レベルにポンプで吸い上げるためのポンプシステムが提供され、システムは、複数の非垂直パイプであって、各パイプが各端部に弁配置を有する、複数の非垂直パイプと、非垂直パイプを順番に充填するよう動作可能な充填システムと、非垂直パイプから上昇レベルまで延在し、上昇レベルに媒体を送達するためのライザと、媒体がライザを通してパイプのそれぞれから上昇レベルにポンプで吸い上げられるように、上昇レベルに上昇している媒体と直接接触する駆動流体をポンプ注入するよう動作可能な容積式ポンプと、を備え、充填システムの流量は、パイプの少なくとも一つが、容積式ポンプがそのパイプに適用される前に媒体で充填され、それによって、パイプから上昇レベルへの媒体の一定した流れを確実にするものである。
【００９４】
第五の態様によれば、圧力交換システムと併用するための浮動プラットフォームが提供され、浮動プラットフォームは、（ｉ）海底に下向きに延在し、圧力交換システムに結合されるライザに結合するためのプラットフォーム上に取り付けられた容積式ポンプであって、該容積式ポンプが、媒体が駆動流体によって圧力交換チャンバから変位するように、圧力交換システム内の媒体と直接接触する駆動流体をポンプ注入するように動作可能である、容積式ポンプと、（ｉｉ）プラットフォーム上に取り付けられ、流体回収フィルタに駆動流体によって変位した媒体を輸送するよう動作可能な第二のライザに結合された流体回収フィルタであって、該流体回収フィルタが、媒体から流体を除去し、それを駆動流体として使用するために容積式ポンプに提供するように動作可能である、流体回収フィルタと、を備える。
【００９５】
この態様により、媒体（尾鉱）からの望ましくない流体を、それを駆動流体として使用することによって、海底に戻すことができる。
【００９６】
浮動プラットフォームは、バージ、船、ポンツーン、または任意の他の浮動構造を含んでもよい。
【００９７】
ここで、これらの態様のうちの一つ以上は、非常に大きな粒子沈殿混合物を、圧力交換チャンバ内および外に確実に輸送することを可能にすることが理解されるべきである。
【００９８】
流体を駆動するための容積式ポンプの使用には、先行技術の圧力交換システムで用いられるような多段遠心ポンプと比較していくつかの利点がある。
【００９９】
一つの利点は、遠心ポンプの圧力依存の高い流量と比較して、容積式ポンプの実質的に圧力に依存しない流量である。これにより、圧力交換チャンバ（水平パイプを含み得る）ならびに加圧排出部に結合された任意の容器（ライザなど）の両方における非常に安定した流量が可能になる。圧力交換チャンバ内の沈殿底の再始動によるポンプ上の圧力負荷の変動、ライザ（または他の容器）の密度の変動、およびライザ（または他の容器）の圧力損失の変動は、ライザ（または他の容器）の流量に影響を与えない。それによって、流路保全が大幅に強化され、より信頼性の高い油圧鉱石ホイストシステムをもたらす。
【０１００】
容積式ポンプを使用する第二の利点は、多段階遠心ポンプと比較して、汚染された駆動流体の取り扱いにはるかに適していることである。容積式スラリーポンプを使用する場合、駆動流体自体は、粘性担体流体として使用され得るように、より高い粘度の可能性のある高濃度スラリーであってもよい。これは、例えば、容積式ポンプが油圧鉱石ホイストシステムの底部に設置される実施形態における、バックフィル（充填または吸引）ストローク中に圧力交換チャンバから出る汚染された駆動流体の直接再使用を可能にする。地表では、鉱石粒子は、その後、駆動流体として再利用され得る担体流体から分離されてもよい。駆動流体の著しい汚染は、容積式ポンプを使用して駆動流体をポンプ注入する場合に許容される。これは、多段階遠心ポンプが、駆動流体としてリサイクルされた担体流体をポンプ注入する必要がある状況と比較して、分離要求を大幅に低減する。
【０１０１】
第六の態様によれば、媒体をポンプで吸い上げるためのポンプシステムが提供され、システムは、（ｉ）各端部に弁配置を有する横長パイプを含む少なくとも一つの圧力交換チャンバと、（ｉｉ）システムの送達端での加圧排出部と、（ｉｉｉ）圧力交換チャンバを媒体で充填するよう動作可能な充填機構と、（ｉｖ）第一の高度に位置する第一の容積式ポンプと、（ｖ）第二の低い、高度に位置する第二の容積式ポンプであって、該容積式ポンプは、媒体が駆動流体によって圧力交換チャンバから加圧排出部に変位するように、媒体と直接接触する駆動流体をポンプ注入する際に協働する、容積式ポンプと、を備える。
【０１０２】
第一の容積式ポンプは、好ましくは、ポンプ注入媒体から抽出された流体から駆動流体を受けるように動作可能である。
【０１０３】
第二の容積式ポンプは、好ましくは、圧力交換チャンバの近傍の流体から駆動流体を受けるように動作可能である。この流体は、排出された駆動流体、または局所的に利用可能な流体（海水、湖の水、池、地下水供給、脱水装置など）から抽出されてもよい。
【０１０４】
上述の態様に記載される圧力交換システムは、横方向（例えば、水平）に配置された開放圧力交換システムを使用することによって、先行技術による圧力交換システムの不利益を排除または低減するものであり、開放とは、分離要素を使用することなく媒体と駆動流体との間の直接接触を指す。各圧力交換チャンバの細長いパイプ形状は、圧力交換チャンバ内の高速性を可能にし、それによって、沈殿スラリー内の粒子の懸濁および輸送を促進する。
【図面の簡単な説明】
【０１０５】
これらおよび他の態様は、添付図面を参照し、例示のみによって示される以下の詳細な説明から明らかになるであろう。
【０１０６】
【図１】図１は、本発明の第一の実施形態によるポンプシステムの簡略化された概略図であり、第一の実施形態は、単一の圧力交換チャンバのみを使用し、圧力交換チャンバは、媒体がポンプで吸い上げられる地表の下に位置する。
【図１Ａ】図１Ａは、チャンバ内の弁配置を示す、図１のポンプシステム、すなわち圧力交換チャンバの一部の簡略化された概略図である。
【図２Ａ】図２は、図１のポンプシステムを操作することに関与するステップを図示したフローチャート（二つの図面に分割）である。
【図２Ｂ】図２は、図１のポンプシステムを操作することに関与するステップを図示したフローチャート（二つの図面に分割）である。
【図３】図３は、図１の一部（開放圧力交換システム）を一般化された様式で図示した、図１のポンプシステムの簡略化された概略図である。
【図４】図４は、本発明の第二の実施形態による別のポンプシステムの簡略化された概略図であり、第二の実施形態は、三つの圧力交換チャンバ（図１のそれに対する代替的な開放圧力交換システム）およびアップグレードされたコントローラを含む。
【図５】図５は、充填（またはバックフィル）動作中に図４のポンプシステムを動作することに関与するステップを示すフローチャートである。
【図６】図６は、排出動作中に図４のポンプシステムを動作することに関与するステップを示すフローチャートである。
【図７】図７は、図１または図４のいずれかのポンプシステムの一部（容積式ポンプ）の代替的な位置を有するポンプシステムの第三の実施形態を示す、簡略化された概略図である。
【図８】図８は、本発明の一実施形態による、閉鎖回路における地下の容積式駆動流体注入ポンプを使用する、破線で示される変形を有する、地下システムのためのポンプシステム８１０の一般的な構成を示す、簡略化された概略図である。
【発明を実施するための形態】
【０１０７】
まず、図１を参照すると、図１は、本発明の第一の実施形態によるポンプシステム１０の簡略化された概略図である。典型的な実施形態では、ポンプシステム１０のほとんどまたはすべては、媒体がポンプシステム１０によって送達される最終送達点よりも低い高度に位置する。この実施形態では、媒体は、液体担体内に位置する１〜１００ｍｍのサイズの範囲の鉱石粒子を含み、混入および懸濁した鉱石粒子のスラリーを生成する。
【０１０８】
ポンプシステム１０は、単一の圧力交換チャンバ１２を備え、その各端部に弁配置１４、１６、すなわち、駆動流体弁配置１４およびポンプ注入媒体弁配置１６を有する。
【０１０９】
図１Ａも参照すると、図１Ａは、弁配置１４、１６をより詳細に示す、圧力交換チャンバ１２の簡略化された概略図である。
【０１１０】
加圧排出部２０は、システム１０の送達端部２２に提供される。この実施形態では、加圧排出部２０は、地表２８で送達端部２２から収集レセプタクル２６に略垂直方向に延在する、ポンプ注入された媒体ライザ２４への入口である。媒体出口ライン２９は、ポンプ注入媒体弁配置１６と加圧排出部２０との間に結合される。
【０１１１】
充填機構３０は、圧力交換チャンバ１２を地表２８にポンプで吸い上げられる媒体３２で充填するよう動作可能な遠心ポンプの形態で提供される。遠心ポンプ３０は、媒体入口ライン３１を介して、圧力交換チャンバ１２を媒体３２で充填する。
【０１１２】
ポンプシステム１０はまた、媒体３２が圧力交換チャンバ１２から加圧排出部２０へ、そこからポンプ注入媒体ライザ２４を介して地表２８へ変位するように、媒体３２と直接接触して、圧力交換チャンバ１２を通して駆動流体３６をポンプ注入するよう動作可能な容積式ポンプ３４を含む。
【０１１３】
容積式ポンプ３４は、駆動流体ライザ３８および駆動流体入口ライン４０を介して、駆動流体弁配置１４に結合される。
【０１１４】
駆動流体出口ライン４２は、圧力交換チャンバ１２を駆動流体排出点４４に接続する。
【０１１５】
圧力交換チャンバ１２、駆動流体弁配置１４、ポンプ注入媒体弁配置１６、駆動流体入口ライン４０および出口ライン４２、ならびに媒体入口ライン３１および出口ライン２９の組み合わせは、本明細書では開放圧力交換システム４６と称される。「開放」は、駆動流体３６と媒体３２との間の直接接触を指す。「圧力交換」は、ポンプ注入される二つの異なる流体（駆動流体３６および媒体３２）間の圧力交換を指す。
【０１１６】
駆動流体弁配置１４は、容積式ポンプ端部４８に位置し、駆動流体入口弁５０、駆動流体出口弁５２、圧縮弁５４、減圧弁５６、チョーク弁５７、およびマスター弁アクチュエータ５８を備える。マスター弁アクチュエータ５８は、ポンプシステム１０の効率的な動作のために、適切な時に様々な弁５０〜５６を作動させるように提供されている。
【０１１７】
図１Ａに示すように、駆動流体入口弁５０は、流体入口弁５０を開閉するための油圧アクチュエータ５８ａを含む。同様に、油圧アクチュエータ５８ｂ、ｃ、ｄは、駆動流体出口弁５２、圧縮弁５４、および減圧弁５６の各々と対になる。これらの油圧アクチュエータ５８ａ、ｂ、ｃ、ｄの各々は、マスター弁アクチュエータ５８によって制御される。これは明確にするために図１Ａには示されていない。
【０１１８】
この実施形態では、マスター弁アクチュエータ５８は、油圧電源ユニットを備える。この電源ユニット５８は、各弁５０、５２、５４、５６に一つずつある、複数の個々の弁アクチュエータ５８ａ、ｂ、ｃ、ｄに結合される。これらのアクチュエータ５８ａ、ｂ、ｃ、ｄは、システムコントローラ７０からコマンドを受けるマスター弁アクチュエータ５８に応答して、それぞれの弁５０、５２、５４、５６を制御するよう動作可能である。
【０１１９】
この実施形態では、これらの弁はすべて高圧（例えば、４０バール超）作動式、非戻り型、ポペット着座弁であるが、他の実施形態では、異なるタイプの弁を使用してもよい。
【０１２０】
チョーク弁５７（一つは図１に図示されているが、二つが図１Ａに図示されている）は、圧力交換チャンバ１２の圧縮および減圧の間の流量を制限および制御するために、圧縮弁５４および減圧弁５６と直列に取り付けられる。駆動流体３６（およびこれらの弁５４、５６を通過する任意の媒体３２）の流量を制限することによって、圧縮弁５４および減圧弁５６の摩耗が低減される。
【０１２１】
他の実施形態では、圧縮弁５４および減圧弁５６のそれぞれに対して、別個の専用のチョーク弁が提供されてもよい（すなわち、図１Ａに示すように、二つのチョーク弁を使用してもよい）。チョーク弁は、オリフィスプレートなどの固定形状制限を含んでもよく、圧縮および減圧弁の上流または下流に配置され得る。
【０１２２】
入口弁５０および出口弁５２が一般的に圧力バランスのとれた環境で開くことを可能にするために、圧力バランスライン６０が提供される。この圧力バランスライン６０は、圧力交換チャンバ１２用の圧縮弁５４および減圧弁５６をバイパス配置（すなわち、駆動流体入口弁５０および出口弁５２をバイパスする）で結合する。
【０１２３】
圧縮弁５４は、駆動流体入口弁５０の開弁前に圧力交換チャンバ１２内の圧力を上昇させることができるように、駆動流体入口弁５０をバイパスするために提供され、それによって、弁５０を開くために必要な力を減少させ、開弁時に駆動流体入口弁５０を通る流体流量を減少させる。これは、駆動流体入口弁５０の寿命を延ばすという利点を有する。
【０１２４】
同様に、減圧弁５６は、駆動流体出口弁５２を開く前に圧力交換チャンバ１２内の圧力を下げることができるように、駆動流体出口弁５２をバイパスするために提供され、それによって、開弁時に駆動流体出口弁５２を通る駆動流体３６の高流量を防止する。
【０１２５】
圧縮弁５４および減圧弁５６は、高圧差に対して開放するように設計される。しかしながら、これらの弁は、駆動流体３６（ポンプで吸い上げられる媒体３２を運ぶ鉱石ではない）の流れを主に許容し、それに対して、よりクリーンな流体（粒子がより少ない、または少なくとも大型粒子が少ない）上で動作させる。これは、これらの弁が過度の摩耗を受けないことを意味する。
【０１２６】
ポンプ注入媒体弁配置１６は、送達端部２２に位置し、ポンプ注入流体出口弁６２（排出弁とも呼ばれる）、ポンプ注入流体入口弁６４（吸引弁または充填弁とも呼ばれる）、および適切な時に弁６２、６４を作動させるマスター弁アクチュエータ６６を備える。ポンプ注入流体入口弁６４および出口弁６２は、圧力交換チャンバ１２がそれぞれ適切に減圧または圧縮された時に、圧力バランスのとれた状況で開く。
【０１２７】
図１Ａに示すように、ポンプ注入流体出口弁６２は、流体出口弁６２を開閉するための油圧アクチュエータ６６ａを含む。同様に、油圧アクチュエータ６６ｂは、ポンプ注入流体入口弁６４と対になる。これらの油圧アクチュエータ６６ａ、ｂの各々は、マスター弁アクチュエータ６６（図１Ａの破線で示される）によって制御される。
【０１２８】
この実施形態では、マスター弁アクチュエータ６６はまた、油圧電源ユニットである。この電源ユニット６６は、各弁６２，６４に一つずつある、二つの個々の弁アクチュエータ６６ａ、ｂに結合される。これらのアクチュエータ６６ａ、ｂは、システムコントローラ７０からコマンドを受けるマスター弁アクチュエータ６６に応答して、それぞれの弁６２、６４を制御するよう動作可能である。ポンプ注入流体出口弁６２および入口弁６４は、高圧（例えば、４０バール超）での使用に適している。
【０１２９】
この実施形態では、ポンプ注入流体入口弁６４および出口弁６２は、それぞれの駆動流体入口５０および出口５２弁を閉じた後に閉じられる。言い換えれば、駆動流体入口弁５０は、ポンプ注入流体出口弁６２の前に閉じ、駆動流体出口弁５２は、ポンプ注入流体入口弁６４の前に閉じている。これは、ポンプ注入流体入口弁５０および出口弁５２が閉まる前に、駆動流体３６の流れ（したがって、媒体３２の流れも）を停止するという利点を有する。これにより、ポンプ注入流体入口弁６４および出口弁６２を閉じる前に、媒体３２内のより大きな粒子が、ポンプ注入流体入口弁６４および出口弁６２から離れて沈殿することができ、それによって、それらの弁６２、６４内の媒体３２からの大きな粒子を捕捉するリスクを低下させる。
【０１３０】
図１Ａに示すように、入口弁および出口弁５０、５２、６２、６４は、閉弁時に弁５０、５２、６２、６４の両端の圧力差が弁５０、５２、６２、６４を閉位置に保持することを助けるように配置される。ポンプ注入流体入口弁６４およびポンプ注入流体出口弁６２については、ポンプ注入流体（媒体および駆動流体）３６、３２の流れ方向が、これらの弁６４、６２の開放を支援する。駆動流体入口弁５０および出口弁５２については、ポンプ注入流体（媒体および駆動流体）３６、３２の流れ方向が逆方向に機能し、弁５０、５２の閉鎖を支援する。これにより、閉弁時に、追加のアクチュエータ力なしで圧力差によって支援されて、弁５０、５２、５４、５６、６２、６４の適切な封止が保証される。弁５０、５２、５４、５６、６２、６４は、アクチュエータ５８ａ、ｂ、ｃ、ｄおよび６６ａ、ｂによって小さな力のみが加えられるとき、圧力バランスのとれた状況に近い状況で開く。スモールとは、システム１０の高圧部分と低圧部分との間の全圧差が弁５０、５２、５４、５６、６２、６４の両端に存在する閉位置にある、弁５０、５２、５４、５６、６２、６４の両端の油圧閉鎖力に対する小ささを指す。
【０１３１】
圧力バランスの取れた状況に近い状況での開放は、駆動流体入口弁５０および出口弁５２ならびにポンプ注入流体入口弁６４および出口弁６２に適用される。圧力バランスの取れた状況に近い状況での開放は、開放時に弁５０、５２、５４、５６、６２、６４内の高流速を排除するが、これはそうでなければ、弁５０、５２、５４、５６、６２、６４の両端の高圧差に起因して起こる。これらの高流速は、そうでなければ、駆動流体３６およびポンプ注入媒体３２の両方に存在する小さな研磨粒子のために、弁５０、５２、５４、５６、６２、６４の機能的封止面を損傷する。
【０１３２】
圧力バランスの取れた状況に近い状況での自動開放により、圧縮弁５４または減圧弁５６の開放時に圧力の均等化が完了する前に、比較的小さなアクチュエータ力を加えることができる。これは、駆動流体３６およびポンプ注入媒体３２の入口弁および出口弁５０、５２、６４、６２を起動する前に正しい圧力均等化を決定するために圧力測定を必要としないため、システムコントローラ７０を大幅に単純化する。
【０１３３】
圧縮弁５４および減圧弁５６は、全圧差がまだ存在する時に開放されるように設計され、それゆえ、それらの両端に圧力差から存在する油圧閉力に関連してより大きなアクチュエータ力を必要とする。圧縮弁５４および減圧弁５６の機能的封止面における流速を制限するために、一つまたは複数のチョーク５７は、個々の圧縮弁５４および減圧弁５６の上流または下流のいずれかに設置され得る。この実施形態では、チョーク５７は、オリフィスプレートなどのバイパスラインにおける制限部である。ここで、チョーキング機能は、摩耗に対するその高い許容量で、圧縮弁５４および減圧弁５６の封止機能から分離され、それらの低い摩耗許容量から、摩耗抵抗に対するその要求が低減される。言い換えれば、制限部（チョーク５７）を使用することにより、弁５４、５６によって経験される摩耗が低減される。流量制御機能を封止機能から分離することによって、相補的な形成を保持しなければならない高耐摩耗性封止部品を設計するよりも、速度制御機能を実施する耐摩耗部品を設計する方が容易である。
【０１３４】
いくつかの実施形態では、マスター弁アクチュエータ５８および６６は、すべての作動弁５０、５２、５４、５６、６２、６４のすべての弁アクチュエータ５８ａ、ｂ、ｃ、ｄおよび６６ａ、ｂを制御する単一のマスター弁アクチュエータに組み合わせることができる。
【０１３５】
ポンプシステム１０はまた、ポンプ３０、３４、弁５０〜５６および６２〜６４、ならびにマスター弁アクチュエータ５８、６６を含むシステム全体の動作を制御するためのシステムコントローラ７０を含む。
【０１３６】
ポンプ３０、３４のそれぞれに流体を提供する必要がある。
【０１３７】
この実施形態では、第一の（地表）流体源７４は、駆動流体３６のための水を提供するために地表２８に提供されている。これは、海底の用途の海水もしくは湖底の用途のための湖水、または地下（もしくはオープンピット）採掘用途における脱水ポンプからの水であり得る、地表２８からの水を提供する。これにより、地表水を使用するという静水圧の利点が得られる。流体源７４は、流体を容積式ポンプ３４に提供する前に、流体から大きな粒子を除去するためのフィルタを含み得る。
【０１３８】
流体源７４は、収集レセプタクル２６内のポンプ注入媒体３２から流体を抽出および再利用するために使用されて、それにより、任意選択で、（鉱山からの望ましくない水または容易に利用可能な場合、過剰水をポンプで吸い上げるために使用される脱水装置の地下用途または開放ピット用途、地表水の海底または湖底用途で）追加の流体が局所的な水源によって供給されて、媒体３２からの流体を駆動流体３６として使用することができる。海底または湖底用途では、地表にポンプで吸い上げられた媒体からの尾鉱の再利用は、地表での尾鉱（媒体３２からの不要な流体または粒子）を処分する要求を除去するという利点を有する。これは、圧力交換チャンバ充填ステップ（図２のステップ１０６、および図５のステップ４０２、４０６、４１０）中に圧力交換チャンバ１２から変位する駆動流体３６（尾鉱を含む）が、海底または湖底上に直接排出され得るためである。
【０１３９】
この実施形態では、第二の流体源７６は、圧力交換チャンバ１２とほぼ同じレベルで提供され、水を提供して鉱石と混合して媒体３２を生成する。これは、海底の用途の海水もしくは湖底の用途のための湖水、または地下（もしくはオープンピット）の採掘用途における鉱水であり得る、局所的な水を使用する。
【０１４０】
ここで図２も参照すると、図２は、ポンプシステム１０の動作中に実行されるステップを示すフローチャート（１００）である。
【０１４１】
第一のステップ（ステップ１０２）は、減圧ステップである。このステップでは、マスター弁アクチュエータ５８は、減圧弁５６を開き、圧力交換チャンバ１２を駆動流体出口ライン４２内の圧力に減圧し、それによって、駆動流体出口弁５２およびポンプ注入流体入口弁６４が開くことを可能にする。
【０１４２】
減圧ステップは、充填コマンドを受信するまで継続する（ステップ１０３）。
【０１４３】
充填コマンドが受信されると（圧力交換チャンバ１２が十分に減圧されると起こる）、マスター弁アクチュエータ５８は、駆動流体出口弁５２を開く（ステップ１０４）。マスター弁アクチュエータ５８は、減圧ステップ（ステップ１０２）の間に出口弁５２に通電してもよい。弁５２の限定された開圧のため、マスター弁アクチュエータ５８の開力によって決定される、圧力差が弁５２の開圧に下がった後にのみ、弁５２は開放する。この実施形態では、駆動流体３６が圧力交換チャンバ１２から変位して、媒体３２が減圧弁５６を通過するのを防ぐ前に、マスター弁アクチュエータ５８が減圧弁５６を閉じることが好ましい（必須ではない）。
【０１４４】
チャンバが減圧されると、マスター弁アクチュエータ６６は次に、ポンプ注入流体入口弁６４（吸引弁）を開き、ポンプ注入流体入口弁６４（吸引弁）が開放されると、媒体３２は遠心ポンプ３０の動作により自動的に圧力交換チャンバ１２に流入する（ステップ１０６）。マスター弁アクチュエータ６６は、減圧ステップ（ステップ１０２）中に入口弁６４を通電し得る。限定された開圧のため、弁６４は、マスター弁アクチュエータ６６の開力によって決定される、圧力差が弁６４の開圧に下がった時にのみ開放する。圧力交換チャンバ１２に入る媒体は、媒体３２が圧力交換チャンバ１２を充填し始めるように、駆動流体出口弁５２を通して、駆動流体３６を圧力交換チャンバ１２から変位させる。媒体３２は、比較的高い流量であるが比較的低い圧力でポンプ注入されるため、圧力交換チャンバ１２は比較的急速に充填される。
【０１４５】
圧力交換チャンバ１２が充填されると（例えば、システムコントローラ７０による時間内の測定されたまたは推定された流量の積分によって、充填体積の直接的または間接的な測定または推定によって決定され得る）（ステップ１０８）、マスター弁アクチュエータ５８は駆動流体出口弁５２（ステップ１１０）を閉じ、それによって、圧力交換チャンバ１２からの駆動流体３６の流出を停止し、媒体３２の圧力交換チャンバ１２への流入を停止する。
【０１４６】
媒体３２の流れが停止した後、マスター弁アクチュエータ６６は所定の時間の間待機する（ステップ１１２）。この実施形態では、待機時間は３秒であるが、他の実施形態では、待機時間は、ゼロ秒から１０秒の間の時間に対して選択されてもよい。この待機時間は、媒体３２内のより大きな粒子が、圧力交換チャンバ１２の下部に、弁６４の弁座から離れて沈殿することを可能にし、それによって弁６４のより良い閉鎖を可能にする。
【０１４７】
マスター弁アクチュエータ６６は、所定の待機時間が経過した後、ポンプ注入流体入口弁６４（吸引弁）を閉じる（ステップ１１４）。
【０１４８】
ポンプ注入流体入口弁６４（吸引弁）が閉じられると、マスター弁アクチュエータ５８は圧縮弁５４（ステップ１１６）を開き、それによって、容積式ポンプ３４によって送達される高圧駆動流体３６が、圧力交換チャンバ１２に入ることを可能にする。これは、圧力交換チャンバ１２の内容物を駆動流体入口ライン４０の圧力に圧縮する。
【０１４９】
圧力交換チャンバ１２の圧縮が十分なレベルに到達し、空の（または開始）コマンドが受信された後（ステップ１１７）、マスター弁アクチュエータ５８、６６は、駆動流体入口弁５０およびポンプ注入流体出口弁６２（ステップ１１８）を開く。上述のように、マスター弁アクチュエータ５８、６６の開力によって決定される、圧力差が弁５０、６２の開圧に下がった時にのみ、弁５０、６２は開くので、マスター弁アクチュエータ５８、６６は、圧力均等化の前に、圧力均等化の前に弁５０、６２を起動させてもよい。この実施形態では、駆動流体３６が、圧縮弁５４ではなく、主に駆動流体入口弁５０を通って流れるように、圧力が均等になった時に、マスター弁アクチュエータ５８が圧縮弁５４を閉じることが好ましい（必須ではない）。
【０１５０】
これらの弁５０、６２が開くと、駆動流体３６は、容積式ポンプ３４の動作のために、駆動流体入口ライン４０および駆動流体入口弁５０を通って圧力交換チャンバ１２に流入する（ステップ１２０）。駆動流体３６は、ポンプ注入流体出口弁６２、媒体出口ライン２９、加圧排出部２０、および部分的にポンプ注入媒体ライザ２４（ライザ２４の高さによる）を通して媒体３２を変位させる。
【０１５１】
媒体３２が媒体出口ライン２９（例えば、システムコントローラ７０によって時間内の測定されたまたは推定された流量の積分によってなど、充填体積の直接的または間接的な測定または推定によって決定され得る）（システムコントローラ７０、によって生成される停止コマンドによって実施される、ステップ１２１）に変位されると、駆動流体入口弁５０は閉じられる（ステップ１２２）。これは、駆動流体３６の圧力交換チャンバ１２への流入を停止し、媒体３２の圧力交換チャンバ１２からの流出を停止する。
【０１５２】
媒体３２の流出が停止した後、マスター弁アクチュエータ６６は所定の時間の間待機する（ステップ１２４）。この実施形態では、待機時間は３秒であるが、他の実施形態では、待機時間は、ゼロ秒から１０秒の間の時間に対して選択されてもよい。この待機時間は、媒体３２内のより大きな粒子が、圧力交換チャンバ１２の下部に、ポンプ注入流体出口弁６２の弁座から離れて沈殿することを可能にし、それによって、弁６２のより良い閉鎖を可能にする。
【０１５３】
他の実施形態では、追加または代替として、ステップ１２０は、駆動流体３６がポンプ注入流体出口弁６２を通って流れるように延長される。これにより、ポンプ注入流体出口弁６２が、駆動流体３６の存在下で確実に閉まり、これは、媒体３６よりもよりクリーンであってもよく、またはより少ない大きな粒子を有してもよい。こうした実施形態では、ポンプ注入流体（または媒体）３２は、一部の駆動流体３６を含み得る。これはまた、圧力交換チャンバ１２内の媒体からの粒子の蓄積を防止する。
【０１５４】
マスター弁アクチュエータ６６は、所定の待機時間が経過した後、ポンプ注入流体出口弁６２（排出弁）を閉じる（ステップ１２６）。
【０１５５】
ポンプ注入流体出口弁６２が閉鎖されると、順序は、圧力交換チャンバ１２の減圧のためにステップ１０２に戻り、新しい媒体充填プロセスを開始する。
【０１５６】
ここで図３を参照すると、図３は、図１のポンプシステム１０の簡略化された概略図である。図３では、開放圧力交換システム４６（すなわち、圧力交換チャンバ１２、駆動流体弁配置１４、ポンプ注入媒体弁配置１６、駆動流体入口および出口ライン４０、４２、ならびに媒体入口ライン３１および出口ライン２９）は、概して数字４６で示されている。
【０１５７】
ここで図４を参照すると、図４は、本発明の第二の実施形態による、別のポンプシステム３１０の簡略化された概略図である。明確にするために、図１の実施形態の部品に共通するそれらの部品は取り除かれている。このポンプシステム３１０は、ポンプシステム１０と非常に類似している。主な違いは、開放圧力交換システム３４６は、一つの圧力交換チャンバ１２の代わりに三つの圧力交換チャンバ３１２ａ、ｂ、ｃを備え、システムコントローラ３７０は、三つの圧力交換チャンバ３１２の順次の充填および排出を管理することである。
【０１５８】
三つの圧力交換チャンバ３１２ａ、ｂ、ｃの各々は、図１のポンプシステム１０を参照して記載するものと同一の弁を含む（明確にするために、チョーク弁５７は図４に図示されていないが、各圧力交換チャンバ３１２に含まれる）。三つの圧力交換チャンバ３１２ａ、ｂ、ｃの各々は、図１の圧力交換チャンバ１２と同一である（またはすべての実用的な目的のために少なくとも非常に類似している）。ポンプシステム３１０はまた、ポンプシステムコントローラ７０と類似しているが、三つの圧力交換チャンバ３１２の順次の充填および排出を追加的に管理する、ポンプシステムコントローラ３７０を含む。圧力交換チャンバ３１２ａ、ｂ、ｃの充填および排出の配列決定は、主にポンプシステムコントローラ３７０のタイミング設定によって制御されてもよく、または別の圧力交換チャンバ３１２ａ、ｂ、ｃの状態（または状況）によって影響されてもよい。
【０１５９】
複数の圧力交換チャンバ３１２が並列に配置されることによって、ポンプシステム３１０は、少なくとも一つの圧力交換チャンバ３１２が常に媒体３２で充填され、排出準備完了であることを保証し、それによって、駆動流体３６を圧力交換チャンバ３１２に連続的に供給し、媒体３２を圧力交換チャンバ３１２に連続的に供給することができる。
【０１６０】
ここで図５および図６を参照すると、図５および図６は、ポンプシステム３１０の動作中（それぞれ充填および排出）に実行されるステップを示すフローチャート４００、４２０である。
【０１６１】
最初に、圧力交換チャンバ（例えば、第一の圧力交換チャンバ３１２ａ）のうちの一つが、図２のプロセス１００のステップ１０６を使用して充填される（ステップ４０２）。
【０１６２】
次に、システムコントローラ３７０は、ステップ１０８（図２）に到達するまで第一の圧力交換チャンバ３１２ａを充填させる（ステップ４０４）。
【０１６３】
第一のチャンバ３１２ａがステップ１０８（図２）に達すると、システムコントローラ３７０は、次の圧力交換チャンバ３１２ｂ（ステップ４０６）の充填を開始する。
【０１６４】
次に、システムコントローラ３７０は、ステップ１０８（図２）に達するまで、第二の圧力交換チャンバ３１２ｂを充填させる（ステップ４０８）。
【０１６５】
第二のチャンバ３１２ｂがステップ１０８（図２）に達すると、システムコントローラ３７０は、次の圧力交換チャンバ３１２ｃ（ステップ４１０）の充填を開始する。
【０１６６】
次に、システムコントローラ３７０は、ステップ１０８（図２）に到達するまで、第三の圧力交換チャンバ３１２ｃを充填させる（ステップ４１２）。
【０１６７】
次いで、プロセスは、第一の圧力交換チャンバ３１２ａの充填に戻る（ステップ４０２）。
【０１６８】
図６を参照すると、最初に、システムコントローラ３７０は、図２のプロセス１００のステップ１２０を使用して、第一の圧力交換チャンバ３１２ａの排出を開始する（ステップ４２２）。
【０１６９】
次に、システムコントローラ３７０は、ステップ１２２（図２）に到達するまで、第一の圧力交換チャンバ３１２ａを排出させる（ステップ４２４）。
【０１７０】
第一のチャンバ３１２ａがステップ１２２（図２）に到達したら、システムコントローラ３７０は、次の圧力交換チャンバ３１２ｂ（ステップ４２６）の排出を開始する。
【０１７１】
次に、システムコントローラ３７０は、ステップ１２２（図２）に到達するまで、第二の圧力交換チャンバ３１２ｂを排出させる（ステップ４２８）。
【０１７２】
第二のチャンバ３１２ｂがステップ１２２（図２）に到達した後、システムコントローラ３７０は、次の圧力交換チャンバ３１２ｃ（ステップ４３０）の排出を開始する。
【０１７３】
次に、システムコントローラ３７０は、ステップ１２２（図２）に到達するまで、第三の圧力交換チャンバ３１２ｃを排出させる（ステップ４３２）。
【０１７４】
次いで、プロセスは、第一の圧力交換チャンバ３１２ａの排出に戻る（ステップ４２２）。
【０１７５】
充填および排出のこの順序は、一つの圧力交換チャンバ３１２から次への充填流れ、および一つの圧力交換チャンバ３１２から次への排出流れの段階的引継ぎを提供する。
【０１７６】
ポンプシステム３１０への連続的な供給およびポンプシステム３１０からの連続的な供給を維持するため、個々の圧力交換チャンバ３１２の配列のタイミングは、システムコントローラ３７０によって制御および整列される。
【０１７７】
配列のタイミングを制御するために、複数のパラメータを使用できる。例えば、駆動流体３６の流量は調整され得る。駆動流体３６の流量は、容積式ポンプ３４のポンプ速度に正比例する。圧力交換チャンバ排出ステップ（ステップ１２０）の持続時間は、調整され得る。好ましい実施形態では、チャンバ排出ステップ（ステップ１２０）は、媒体３２を圧力交換チャンバ３１２から変位させた後も継続し、ポンプ注入流体出口（排出）弁６２が、ポンプ注入媒体３２内ではなく、汚染の少ない駆動流体３６を通して閉じることを可能にする。
【０１７８】
充填機構（上記の実施形態における遠心ポンプ）３０の流量を調整することができる。このようなポンプの流量は、ポンプ３０自体の速度を変更することによって、または駆動流体出口ライン４２の流量制御弁を使用することによってポンプ３０上の圧力負荷を変更することによって変更することができる。遠心ポンプの流量は、ポンプの速度ならびにポンプの圧力負荷の両方に依存するため、駆動流体出口ライン４２における流量測定値を使用して、実際の流量を確認してもよい。
【０１７９】
チャンバ充填ステップ（ステップ１０６）の持続時間は、調整され得る。好ましい実施形態では、チャンバ充填ステップ（ステップ１０６）は、媒体３２を駆動流体出口弁５２を通して圧力交換チャンバ３１２から変位させる前に停止し、駆動流体出口弁５２がポンプ注入媒体３２内ではなく、汚染がより少ない駆動流体３６内で閉じることを可能にする。
【０１８０】
駆動流体３６とポンプ注入媒体３２との間の直接接触を有するポンプシステム１０、３１０の一つの利点は、充填および排出ステップの持続時間がほぼ無制限に延長され得ることである。これは、クランクシャフトもしくは油圧駆動ポンプ内のストローク上の固定された端部停止、または駆動流体とポンプ注入混合物との間に分離要素を使用する圧力交換システムとは対照的である。これにより、配列のタイミングにおいて大きな柔軟性が可能になり、ポンプ３４内の変化する状況によるタイミング変化があっても、非常に頑強である。
【０１８１】
図１〜６の実施形態の代替として、第一の流体源７４を、圧力交換チャンバ１２、３１２と同じレベルで位置付けることができる。これは、図１の破線の低レベル流体源７４’として図示される。低レベル流体源７４’は、部分的に（他の場所から提供される一部の駆動流体とともに）または完全に（流体源７４’から提供されるすべての駆動流体とともに）駆動流体入口ライン４０に供給することによって、圧力交換チャンバ充填ステップ（図２のステップ１０６、および図５のステップ４０２、４０６、４１０）中に、圧力交換チャンバ１２、３１２によって排出される駆動流体３６を再使用することができる。しかしながら、この排出された流体は、地表の容積式ポンプ３４の位置よりもはるかに低い高度にあり、駆動流体入口ライン４０は高圧（容積式ポンプ３４によって供給される）であるため、圧力交換チャンバ１２のレベルに位置付けられた（破線図１に示す）第二の容積式ポンプ３４’によって駆動される低レベル流体源７４’を必要とするであろう。第二の容積式ポンプ３４’を使用して、駆動流体の全てを送達することができ、地表の容積式ポンプ３４（図７に示す通り）を不要にし得る。これは、スラリー混合物を生成するために地下レベルで利用可能な水がある地下鉱山の場所で利点を有し、ポンプ注入媒体からの過剰な水が地表で除去および処分され得る。これにより、ほとんどの地下鉱山が既に持っている脱水要求を下げる。
【０１８２】
媒体３２からの流体が駆動流体３６として使用され得るように、ポンプ注入媒体３２から流体を抽出および再利用するように構成された地表の流体源７４を、ポンプ充填チャンバステップ（図２のステップ１０６および図５のステップ４０２、４０６、４１０）中に排出される駆動流体３６を再使用するように構成される、第二の容積式ポンプ３４’と組み合わせることができ、その結果、すべての駆動流体３６および媒体３２流体が（図８の実線で示される）再利用されるため、動作可能になった時点で外部の流体入力を必要としない（またはわずかだけ必要とする）理論的に閉ループ流体システムが提供される。この実施例では、第二の容積式ポンプ３４’は、地表２８での媒体３２の脱水から生じる駆動流体３６の不足を補う。容積式駆動流体ポンプ３４、３４’の使用により、この並列駆動流体ポンプの設置が可能になるが、これは、流量の圧力感度が個々の遠心ポンプ間の相互作用をもたらすため、並列遠心駆動流体ポンプを扱うのははるかに困難となる。
【０１８３】
ここで、図７を参照すると、図７は、図１または図４のポンプシステムの部品（容積式ポンプ）の代替的な位置を有するポンプシステム７１０の第三の実施形態を示す、簡略化された概略図である。
【０１８４】
第一および第二の実施形態（図１〜６）では、容積式ポンプ３４は、圧力交換チャンバ１２、３１２よりも著しく高い地表２８に位置する。例えば、地表２８は、圧力交換チャンバ１２よりも高度で５０ｍ〜５０００ｍ高くてもよい。しかし、容積式ポンプを、圧力交換チャンバ１２またはチャンバ３１２とほぼ同じレベル（または高度もしくは深さ）で位置付けることが可能である。これは、図７の低レベル容積式ポンプ７３４として図示される。
【０１８５】
これは、容積式ポンプ７３４が圧力交換チャンバ１２、３１２の近くに位置するという利点を有し、それによって、圧力交換チャンバ３１２間の切り替え時の負荷応答時間を改善する。もう一つの利点は、駆動流体３６が低レベル流体源７４’によって提供され得るため、駆動流体ライザ（図１のライザ３８）が不要なことである。代替で、駆動流体ライザを使用して、駆動流体３６を地表２８から容積式ポンプ７３４に直接供給してもよい。これは、駆動流体ライザ内の静水圧が、そのエネルギー消費を低減する容積式ポンプ７３４に高い吸引圧を生じさせるという利点を有する。
【０１８６】
圧力交換チャンバ１２、３１２が（海底または湖底上とは対照的に）地下に位置する場合、容積式ポンプ７３４は、加圧排出部２０を圧倒するために（すなわち、媒体３２を地表２８まで持ち上げるために）全力で送達しなければならない。圧力交換チャンバ１２、３１２が海底（または湖底）上に位置する場合、周囲の水は駆動流体３６として使用されてもよく、これは、水深に基づく静水圧を有するため、容積式ポンプ７３４は、海水とポンプ注入媒体ライザ２４の媒体３２の密度差とポンプ注入媒体ライザ２４の摩擦損失とによる圧力差を克服するだけである。
【０１８７】
代替で、図１を参照して記載したのと同様の方法で、駆動流体３６は、駆動流体ライザ３８を介して地表の流体源７４から供給されてもよい。
【０１８８】
容積式ポンプ３４を、圧力交換チャンバ３１２と同じレベルに設けることは、圧力交換チャンバ３１２が位置する（例えば、鉱床下または海底上）場所に高エネルギー電源を提供することが高価であり得るという欠点を有する。
【０１８９】
ここで、容積式ポンプ３４は、地表２８または負の高度に位置し得ることが理解される。同様に、駆動流体３６は、地表２８から、または負の高度から、あるいは二つの組み合わせから提供されてもよい。
【０１９０】
ここで、図８を参照すると、図８は、本発明の実施形態による、閉回路で地下の容積式駆動流体注入ポンプを使用する地下システムについて、破線で示された変形を有するポンプシステム８１０の一般的な構成を示す、簡略化された概略図である。ポンプシステム８１０は、上述のように開放圧力交換システム４６，３４６を含む。
【０１９１】
図８では、Ｃｖはスラリー中の固体の体積濃度を指し、Ｑ＿ｕｐはポンプシステム８１０が送達する総流量を指す。地表の流体源７４は、大気圧での水タンクとして図示される。この（第一の）地表の流体源７４は、どのシステム変形が使用されるかに応じて、必要に応じて、海、湖、または池の表面からの、任意の容易に利用可能な水（箱７４’’によって示される）によって供給され得る。
【０１９２】
破線ボックス８１１は、第二の容積式ポンプ３４’（または一部の実施形態では、唯一の容積式ポンプ３４’）および第二の流体源７６の周りに示されている。地下（海底または湖底ではない）環境では、第二の流体源７６は、開放圧力交換システム４６、３４６から流体を捕捉するために必要とされ、そうでなければ、排出された駆動流体が領域を浸水させる。こうした用途では、第二の流体源７６は、第二の流体源７６からの流体を採掘された鉱石（図示せず）と混合するスラリー調製ミキサー８１３に供給することができる。図１、３、および７の実施形態はまた、スラリー調製ミキサー８１３を含むが、明確にするためにそれらの図には示されていない。海底または湖底環境では、圧力交換チャンバ１２、３１２の周りの海水または湖水に排出することができるため、開放圧力交換システム４６、３４から流体を捕捉する必要がないため、第二の流体源７６は必要とされない。
【０１９３】
図８はまた、任意の流体不足に供給するため、またはどのシステム変形が使用されるかに応じて必要とされる時に任意の過剰な流体を受けるために使用することができる、地下の流体源８７６（水を保持するために使用される池またはタンクであってもよい）を示す。
【０１９４】
本明細書に記載される方法のステップは、任意の適切な順序で、または適切な場合には同時に実施され得る。
【０１９５】
用語「備える（ｃｏｍｐｒｉｓｉｎｇ」」、「含む（ｉｎｃｌｕｄｉｎｇ」」、「組み込む（ｉｎｃｏｒｐｏｒａｔｉｎｇ」」、および「有する（ｈａｖｉｎｇ
【０１９６】
」は、本明細書では、排他的なリストではなく、一つまたは複数の要素またはステップの非限定的なリストを列挙するために使用される。かかる用語が使用されるとき、リストに列挙されるそれらの要素またはステップは、リストに追加され得る他の要素またはステップに限られていない。
【０１９７】
文脈によって別段の示唆が無い限り、本明細書において、用語「一つの（ａ）」および「一つの（ａｎ）」は、その後言及される要素、整数、ステップ、特徴、動作、または構成要素のうちの少なくとも一つを示すために使用されるが、追加の要素、整数、ステップ、特徴、動作、または構成要素を除外しない。
【０１９８】
一部の実例では、例えば“一つまたは複数の”、“少なくとも”、“限定されないが”、または類似の他の語句など、幅の広い語句の存在は、より狭い場合が、そのような幅の広い語句が使用されない場合に意図されるか、または必要とされることを意味するものではなく、かつ意味として解釈されるべきではない。
【０１９９】
他の実施形態では、充填機構３０は、ドレッジポンプ、または他の任意の便利なポンプを備えてもよい。
【０２００】
本明細書で使用される参照番号および対応する部品は、以下に提供される。
１０    ポンプシステム
１２    圧力交換チャンバ
１４    駆動流体弁配置
１６    ポンプ注入媒体弁配置
２０    加圧排出部
２２    送達端部
２４    ポンプ注入媒体ライザ
２６    収集レセプタクル
２８    地表
２９    媒体出口ライン
３０    充填機構
３１    媒体入口ライン
３２    媒体（スラリーポンプ注入）
３４    容積式ポンプ
３４’    第二の容積式ポンプ
３６    駆動流体
３８    駆動流体ライザ
４０    駆動流体入口ライン
４２    駆動流体出口ライン
４４    駆動流体排出点
４６    開放圧力交換システム
４８    容積式ポンプ端部
５０    駆動流体入口弁
５２    駆動流体出口弁
５４    圧縮弁
５６    減圧弁
５７    チョーク弁
５８    マスター弁アクチュエータ（弁５０〜５６用）
６０    圧力バランスライン
６２    ポンプ注入流体出口弁
６４    ポンプ注入流体入口弁
６６    マスター弁アクチュエータ（弁６０、６２用）
７０    システムコントローラ
７２    第二の容積式ポンプ
７４    地表の流体源
７４’    低レベルの流体源
７６    第二の流体源
１００    フローチャート
３１０    代替ポンプシステム
３１２ａ、ｂ、ｃ    圧力交換チャンバ
３４６    開放圧力交換システム（三つのチャンバ）
３７０    システムコントローラ
４００    圧力交換チャンバ３１０を充填するためのフローチャート  
４２０    圧力交換チャンバ３１０を排出するためのフローチャート
７１０    ポンプシステム
７３４    低レベル容積式ポンプ
８１０    ポンプシステム
８１１    オプションコンポーネント付きボックス
８１３    スラリー調製ミキサー
８７６    地下の流体源
【図１】
2021531426.tif 000003
【図１Ａ】
2021531426.tif 000004
【図２Ａ】
2021531426.tif 000005
【図２Ｂ】
2021531426.tif 000006
【図３】
2021531426.tif 000007
【図４】
2021531426.tif 000008
【図５】
2021531426.tif 000009
【図６】
2021531426.tif 000010
【図７】
2021531426.tif 000011
【図８】
2021531426.tif 000012
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
地下または海底の位置から鉱石粒子を含む液体を含む媒体を上昇レベルで地表までポンプで吸い上げるためのポンプシステムであって、前記システムが：
前記上昇レベルよりはるかに低い高度に位置し、横方向の配向に延在する細長いパイプを含み、一方の端部に駆動流体弁配置、および反対の端部にポンプ注入媒体弁配置を有する、少なくとも一つの圧力交換チャンバ、
前記圧力交換チャンバの前記ポンプ注入媒体弁配置上の前記システムの送達端における加圧排出部、
前記送達端から前記上昇レベルまで上向きに延在し、前記上昇レベルに前記媒体を送達するためのライザ、
前記圧力交換チャンバとほぼ同じレベルにあり、水を提供して鉱石と混合して媒体を生成する流体源、
前記圧力交換チャンバを前記媒体で充填するよう動作可能な充填機構、および
前記圧力交換チャンバに接続され、前記媒体が駆動流体によって前記圧力交換チャンバから前記加圧排出部に変位するように、前記媒体と直接接触する前記駆動流体をポンプ注入するように動作可能な容積式ポンプを備える、ポンプシステム。
【請求項２】
前記駆動流体弁配置が、前記容積式ポンプに接続された前記圧力交換チャンバの端部に配置され、駆動流体入口弁を備え、駆動流体出口弁および前記ポンプ媒体弁配置が、それによって媒体が前記圧力交換チャンバに供給され得るポンプ流体入口弁、およびそれによって媒体が前記圧力交換チャンバから排出され得るポンプ流体出口弁、および各弁に関連し、開位置と閉位置との間で弁を変位させるように構成されるアクチュエータを備え、前記弁が、前記ポンプ流体の流れが前記駆動流体入口弁と駆動流体出口弁を閉じるのを補助し、前記ポンプ流体入口弁と出口弁が開くのを補助するように構成される、請求項１に記載のポンプシステム。
【請求項３】
前記駆動流体弁配置が、前記駆動流体入口弁を開く前に、前記圧力交換チャンバ内の圧力を上昇させ得るように、前記駆動流体入口弁をバイパスするための圧縮弁、および前記駆動流体出口弁を開く前に、前記圧力交換チャンバ内の圧力を降下させ得るように、前記駆動流体出口弁をバイパスするための減圧弁、および前記圧縮弁と直列に接続され、前記圧縮弁を通る前記駆動流体の流量を制限するためのチョーク弁をさらに備える、請求項２に記載のポンプシステム。
【請求項４】
前記ポンプシステムが、並列に接続され、ポンプ注入される媒体で連続的に充填され、駆動流体で連続的に空にされる複数の圧力交換チャンバを備える、請求項１に記載のポンプシステム。
【請求項５】
前記ポンプシステムが、任意の圧縮弁および減圧弁と、前記駆動流体入口弁および出口弁と、ならびに必要に応じて前記ポンプ注入流体入口弁および出口弁とを適切な時間に作動させて、排出されるチャンバが、別の圧力交換チャンバが媒体で充填されている間にポンプ注入媒体で空にされるときに、少なくとも一つの圧力交換チャンバが媒体で満たされることを確実にするように動作可能な圧力交換チャンバコントローラをさらに備える、請求項４に記載のポンプシステム。
【請求項６】
前記容積式ポンプが、前記駆動流体を前記媒体が流れるのと同じ方向にポンプ注入する、請求項１〜４のいずれかに記載のポンプシステム。
【請求項７】
前記充填機構が遠心ポンプを含む、請求項１〜５のいずれかに記載のポンプシステム。
【請求項８】
前記容積式ポンプが、前記圧力交換チャンバとほぼ同じ高度に位置する、請求項１〜６のいずれかに記載のポンプシステム。
【請求項９】
前記容積式ポンプが、前記圧力交換チャンバよりはるかに高い高度に位置する、請求項１〜７のいずれかに記載のポンプシステム。
【請求項１０】
前記システムが、前記地表の容積式ポンプに連結された駆動流体ライザ、および地表に位置し、前記媒体からの流体が駆動流体として使用され得るように、ポンプ媒体からの流体を抽出かつ再利用するように動作可能な駆動流体源をさらに備える、請求項１〜７または９のいずれかに記載のポンプシステム。
【請求項１１】
前記システムが、前記ポンプ媒体を前記容積式ポンプに供給する前に、前記ポンプ媒体から大きな粒子を除去するための液体回収フィルタをさらに備える、請求項１０に記載のポンプシステム。
【請求項１２】
前記システムが、前記圧力交換チャンバとほぼ同じ高度に位置する駆動流体源をさらに備え、前記駆動流体源が、前記チャンバの充填ステップ中に、前記圧力交換チャンバから排出された駆動流体を再利用する、請求項１〜１１のいずれかに記載のポンプシステム。
【請求項１３】
前記圧力交換チャンバの前記レベルに位置する第二の容積式ポンプをさらに備える、請求項１２に記載のポンプシステム。
【請求項１４】
前記システムが、前記地表の容積式ポンプに連結された駆動流体ライザ、および地表に位置し、前記媒体からの流体が駆動流体として使用され得るように、ポンプ媒体からの流体を抽出かつ再利用するように動作可能である駆動流体源をさらに備え、これによって、すべての駆動流体および媒体流体が再利用されるため、一度作動すると外部流体注入をほとんど必要としない閉ループ流体システムが提供される、請求項１３に記載のポンプシステム。
【請求項１５】
前記加圧排出部は、加圧コンテナへの供給部、または高圧を必要とする細長い輸送ラインへの供給部のいずれかを備える、請求項１〜１３のいずれかに記載のポンプシステム。
【請求項１６】
前記駆動流体およびポンプ媒体弁配置が、（ｉ）各弁の両端の圧力差が前記弁の高圧側に作用して、前記弁が作動していない時に前記弁を閉位置に維持するのを助けるように、（ｉｉ）前記駆動流体の前記流れ方向がこれらの前記駆動流体弁を閉じるのを助けるように、（ｉｉｉ）前記ポンプ注入媒体の前記流れ方向が前記ポンプ媒体弁を開くのを助けるように配向かつ構成された、作動式、ポペット式、逆止弁を含む、請求項１〜１４のいずかに記載のポンプシステム。
【請求項１７】
アクチュエータ力が、作動時であっても、小さな圧力差の存在下でのみ前記バルブが開くように選択される、請求項１６に記載のポンプシステム。
【請求項１８】
請求項１〜１７のいずれかに記載のシステムを使用して、地下または海底の位置から鉱石粒子を含む液体を含む媒体を上昇レベルで地表までポンプで吸い上げるための方法であって、前記方法が、
（ｉ）横方向に延在する圧力交換チャンバを減圧するステップと、
（ｉｉ）前記圧力交換チャンバを、比較的低い圧力源を使用してポンプ注入される媒体で充填するステップと、
（ｉｉｉ）容積式ポンプを使用して前記圧力交換チャンバを加圧するステップと、
（ｉｖ）前記媒体と直接接触する駆動流体を使用して前記媒体を排出するステップであって、前記駆動流体が前記容積式ポンプを使用して送達される、排出するステップと、
（ｖ）駆動流体入口弁と出口弁対してポンプ媒体入口弁と出口弁を閉じるのを遅延させ、前記ポンプ媒体入口弁と出口弁が閉じる前に、前記ポンプ媒体の流れを停止し、それによって、前記媒体中のより大きな鉱石粒子が、前記ポンプ媒体入口弁と出口弁から、それらが閉じられる前に、離れて沈降することが可能となる、遅延させるステップと、を含む、方法。
【請求項１９】
ステップ（ｉｉ）が、前記媒体が圧力交換チャンバの実質的な部分を通過し、駆動流体出口弁を介して排出されるように、前記圧力交換チャンバを充填することをさらに含む、請求項１８に記載の媒体をポンプ注入する方法。
【請求項２０】
ステップ（ｉｖ）が、駆動流体が前記圧力交換チャンバの実質的な部分を通過し、ポンプ注入流体出口弁を介して排出されるように、前記媒体と直接接触する前記駆動流体を使用して前記媒体を排出することをさらに含む、請求項１８または１９に記載の媒体をポンプ注入する方法。
【請求項２１】
前記方法が、第一の圧力交換チャンバ上でステップ（ｉ）〜（ｉｉｉ）を行うことと、次に、前記第一の圧力交換チャンバ上でステップ（ｉｖ）を実施する前またはその間に、第二の圧力交換チャンバ上でステップ（ｉ）〜（ｉｉｉ）を実施することと、を含む、請求項１８〜２０のいずれかに記載の媒体をポンプ注入する方法。
【国際調査報告】
2021531426.tif 000013
2021531426.tif 000014
2021531426.tif 000015
2021531426.tif 000016
2021531426.tif 000017